(57)【特許請求の範囲】
【請求項１】
ユーザが管理するユーザ端末からの広告コンテンツの放映条件の設定を受け付ける広告情報管理サーバであって、
前記ユーザ端末からの放映条件設定要求を受け付ける放映条件設定要求受付手段と、
前記放映条件設定要求受付手段によって受け付けた前記放映条件設定要求に基づいて、放映する広告コンテンツの適用単位となる放映パターンを設定し、かつ、設定された放映パターン毎に適用させる広告コンテンツを設定するための放映条件設定画面を示す放映条件設定画面情報を、前記ユーザ端末に対して送信する放映条件設定画面情報送信手段と、
前記放映条件設定画面を用いて設定された放映条件を受け付ける放映条件設定受付手段と、
前記放映条件設定受付手段によって受け付けた前記放映条件を格納する格納手段とを備え、
前記放映条件設定画面は、
予め受け付けたユーザからの申込内容を放映期間、放映場所及び枠数の少なくとも１つによって分割することの有無並びにその分割方法を設定可能に構成され、これにより、前記放映パターンを設定する単位を設定する掲出条件設定画面と、
当該掲出条件設定画面を用いて設定された前記放映パターンを設定する単位毎に、該放映パターンを設定する単位を放映日及び放映時間の少なくとも１つによって更に分割することの有無並びにその分割方法を設定可能に構成され、これにより、前記放映パターンを設定する放映パターン設定画面と、
当該放映パターン設定画面を用いて設定された前記放映パターン毎に、適用させる広告コンテンツを設定するための適用コンテンツ設定画面とを含む
ことを特徴とする広告情報管理サーバ。
【請求項２】
前記掲出条件設定画面には、
広告コンテンツの放映パターンを一括で設定することを選択するための放映パターン一括設定領域と、
ユーザからの申込内容を放映期間、放映場所及び枠数の少なくとも１つによって分割することを選択するための領域並びにその分割方法を設定するための領域が設けられた放映パターン分割設定領域とが設けられ、
前記放映パターン一括設定領域において広告コンテンツの放映パターンを一括で設定することが選択された場合には、ユーザからの申込内容が分割されることなく前記放映パターンを設定する単位として設定され、
前記放映パターン分割設定領域において分割することが選択され、かつ、その分割方法が設定された場合には、分割されたユーザからの申込内容がそれぞれ前記放映パターンを設定する単位として設定される
ことを特徴とする請求項１に記載の広告情報管理サーバ。
【請求項３】
前記放映パターン分割設定領域には、放映期間の分割の設定を行う放映期間分割設定領域、放映場所の分割の設定を行う放映場所分割設定領域、及び申込枠の分割の設定を行う申込枠分割設定領域のうち、少なくとも１つが設けられる
ことを特徴とする請求項２に記載の広告情報管理サーバ。
【請求項４】
前記掲出条件設定画面は、少なくとも放映場所によって分割することの有無並びにその分割方法を設定可能に構成されており、
前記放映パターン設定画面は、
前記放映パターンを設定する単位毎に、該放映パターンを設定する単位を放映日及び放映時間の少なくとも１つによって更に分割することの有無並びにその分割方法を設定可能に構成された詳細設定画面と、
前記放映パターンを設定する単位毎に、該放映パターンを設定する単位を構成する放映場所に設置された２以上の表示装置について、該２以上の表示装置を分割して異なる広告コンテンツを設定することの有無及びその分割方法を設定可能に構成された面パターン設定画面と
を含み、前記面パターン設定画面における分割の有無に拘わらず、前記詳細設定画面によって設定された内容が前記２以上の表示装置に対して適用されるよう構成されている
ことを特徴とする請求項１乃至３いずれか１項に記載の広告情報管理サーバ。
【請求項５】
前記放映パターン設定画面には、放映日の分割の設定を行う放映日分割設定領域、及び放映時間の分割の設定を行う放映時間分割設定領域のうち、少なくとも１つが設けられる
ことを特徴とする請求項１乃至４いずれか１項に記載の広告情報管理サーバ。
【請求項６】
広告コンテンツの作成を支援する機能を更に有する広告情報管理サーバであって、
広告コンテンツを作成するためのコンテンツ素材を格納するコンテンツ素材格納手段と、
ユーザが管理するユーザ端末からの広告コンテンツ作成要求を受け付ける広告コンテンツ作成要求受付手段と、
前記広告コンテンツ作成要求受付手段によって受け付けた前記広告コンテンツ作成要求に基づいて、前記コンテンツ素材格納手段に格納されたコンテンツ素材の選択を行うコンテンツ素材選択領域及び選択された１以上のコンテンツ素材から広告コンテンツを作成する広告コンテンツ作成領域が設けられた広告コンテンツ作成画面を示す広告コンテンツ作成画面情報を、前記ユーザ端末に対して送信する広告コンテンツ作成画面情報送信手段と、
前記広告コンテンツ作成画面を用いて作成された広告コンテンツを示す広告コンテンツ構成情報を受け付ける広告コンテンツ構成情報受付手段と、
前記広告コンテンツ構成情報受付手段によって受け付けた前記広告コンテンツ構成情報を格納する広告コンテンツ格納手段とを備えた
ことを特徴とする請求項１乃至５いずれか１項に記載の広告情報管理サーバ。
【請求項７】
前記広告コンテンツ作成画面には、前記コンテンツ素材格納手段に格納された広告コンテンツを選択することにより、該広告コンテンツを構成する１以上のコンテンツ素材の選択を行う広告コンテンツ選択領域が更に設けられている
ことを特徴とする請求項６に記載の広告情報管理サーバ。
【請求項８】
前記広告コンテンツ作成画面には、前記ユーザ端末に格納された新規コンテンツ素材の選択を行う新規コンテンツ素材選択領域が設けられており、
前記新規コンテンツ素材選択領域にて選択された新規コンテンツ素材を前記コンテンツ素材格納手段に保存する新規コンテンツ素材保存手段を備えた
ことを特徴とする請求項６又は７に記載の広告情報管理サーバ。
【請求項９】
前記広告コンテンツ作成画面には、コンテンツ素材毎に、コンテンツ素材の放映秒数の設定を行う放映秒数設定領域、コンテンツ素材に対するエフェクトの設定を行うエフェクト設定領域、及びコンテンツ素材の放映順序の設定を行う放映順序設定領域が設けられている
ことを特徴とする請求項６乃至８いずれか１項に記載の広告情報管理サーバ。
【請求項１０】
管理業者における広告コンテンツの編成を支援する機能を更に有する広告情報管理サーバであって、
管理業者が管理する管理者端末からの編成要求を受け付ける編成要求受付手段と、
前記編成要求受付手段によって受け付けた前記編成要求に基づいて、編成の対象となる編成範囲を指定するための編成範囲指定画面を示す編成範囲指定画面情報を前記管理者端末に対して送信する編成範囲指定画面情報送信手段と、
前記編成範囲指定画面を用いて行われた編成範囲指定を受け付ける編成範囲指定受付手段と、
前記編成範囲指定受付手段によって受け付けた前記編成範囲指定に基づいて、指定された前記編成範囲における広告コンテンツの放映順序の変更処理を含む編成処理を行うための編成画面を示す編成画面情報を、前記管理者端末に対して送信する編成画面情報送信手段と、
前記編成画面を用いて行われた編成処理の処理結果を示す編成結果情報を受け付ける編成結果情報受付手段と、
前記編成結果情報受付手段によって受け付けた前記編成結果情報を格納する格納手段とを備えた
ことを特徴とする請求項１乃至９いずれか１項に記載の広告情報管理サーバ。
【請求項１１】
管理業者における広告コンテンツの編成を支援する機能を更に有する広告情報管理サーバであって、
管理業者からの編成要求を受け付ける編成要求受付手段と、
前記編成要求受付手段によって受け付けた前記編成要求に基づいて、編成の対象となる編成範囲を指定するための編成範囲指定画面を表示する編成範囲指定画面表示手段と、
前記編成範囲指定画面を用いて行われた編成範囲指定を受け付ける編成範囲指定受付手段と、
前記編成範囲指定受付手段によって受け付けた前記編成範囲指定に基づいて、指定された前記編成範囲における広告コンテンツの放映順序の変更を行うための編成画面を表示する編成画面表示手段と、
前記編成画面を用いて行われた編成処理の処理結果を示す編成結果情報を受け付ける編成結果情報受付手段と、
前記編成結果情報受付手段によって受け付けた前記編成結果情報を格納する格納手段とを備えた
ことを特徴とする請求項１乃至９いずれか１項に記載の広告情報管理サーバ。
【請求項１２】
フィラー用コンテンツを格納するコンテンツ格納手段と、
予め定められたタイミングにおいて放映枠に空き枠が生じている際に、前記コンテンツ格納手段に格納されたフィラー用コンテンツを前記空き枠に割り当てるフィラー用コンテンツ割当手段とを更に備える
ことを特徴とする請求項１０又は１１に記載の広告情報管理サーバ。
【請求項１３】
請求項１乃至１２いずれか１項に記載の広告情報管理サーバを備える広告情報管理システム。
【請求項１４】
ユーザが管理するユーザ端末からの広告コンテンツの放映条件の設定を受け付ける広告情報管理サーバに、広告に関する情報を管理するための処理を実行させる広告情報管理プログラムであって、
前記広告情報管理サーバに、
前記ユーザ端末からの放映条件設定要求を受け付ける放映条件設定要求受付処理と、
前記放映条件設定要求受付処理にて受け付けた前記放映条件設定要求に基づいて、放映する広告コンテンツの適用単位となる放映パターンを設定し、かつ、設定された放映パターン毎に適用させる広告コンテンツを設定するための放映条件設定画面を示す放映条件設定画面情報を、前記ユーザ端末に対して送信する放映条件設定画面情報送信処理と、
前記放映条件設定画面を用いて設定された放映条件を受け付ける放映条件設定受付処理と、
前記放映条件設定受付処理にて受け付けた前記放映条件を格納する格納処理とを
実行させ、
前記放映条件設定画面は、
予め受け付けたユーザからの申込内容を放映期間、放映場所及び枠数の少なくとも１つによって分割することの有無並びにその分割方法を設定可能に構成され、これにより、前記放映パターンを設定する単位を設定する掲出条件設定画面と、
当該掲出条件設定画面を用いて設定された前記放映パターンを設定する単位毎に、該放映パターンを設定する単位を放映日及び放映時間の少なくとも１つによって更に分割することの有無並びにその分割方法を設定可能に構成され、これにより、前記放映パターンを設定する放映パターン設定画面と、
当該放映パターン設定画面を用いて設定された前記放映パターン毎に、適用させる広告コンテンツを設定するための適用コンテンツ設定画面とを含む
ことを特徴とする広告情報管理プログラム。
【請求項１５】
広告情報管理サーバに広告コンテンツの作成を支援する処理を更に実行させるための広告情報管理プログラムであって、
前記広告情報管理サーバに、
ユーザが管理するユーザ端末からの広告コンテンツ作成要求を受け付ける広告コンテンツ作成要求受付処理と、
前記広告コンテンツ作成要求受付処理にて受け付けた前記広告コンテンツ作成要求に基づいて、広告コンテンツを作成するためのコンテンツ素材を格納するコンテンツ素材格納手段に格納された当該コンテンツ素材の選択を行うコンテンツ素材選択領域及び選択された１以上のコンテンツ素材から広告コンテンツを作成する広告コンテンツ作成領域が設けられた広告コンテンツ作成画面を示す広告コンテンツ作成画面情報を、前記ユーザ端末に対して送信する広告コンテンツ作成画面情報送信処理と、
前記広告コンテンツ作成画面を用いて作成された広告コンテンツを示す広告コンテンツ構成情報を受け付ける広告コンテンツ構成情報受付処理と、
前記広告コンテンツ構成情報受付処理にて受け付けた前記広告コンテンツ構成情報を格納する広告コンテンツ格納処理とを
更に実行させるための請求項１４に記載の広告情報管理プログラム。
【請求項１６】
広告情報管理サーバに管理業者における広告コンテンツの編成を支援する処理を更に実行させるための広告情報管理プログラムであって、
前記広告情報管理サーバに、
管理業者が管理する管理者端末からの編成要求を受け付ける編成要求受付処理と、
前記編成要求受付処理にて受け付けた前記編成要求に基づいて、編成の対象となる編成範囲を指定するための編成範囲指定画面を示す編成範囲指定画面情報を前記管理者端末に対して送信する編成範囲指定画面情報送信処理と、
前記編成範囲指定画面を用いて行われた編成範囲指定を受け付ける編成範囲指定受付処理と、
前記編成範囲指定受付処理にて受け付けた前記編成範囲指定に基づいて、指定された前記編成範囲における広告コンテンツの放映順序の変更処理を含む編成処理を行うための編成画面を示す編成画面情報を、前記管理者端末に対して送信する編成画面情報送信処理と、
前記編成画面を用いて行われた編成処理の処理結果を示す編成結果情報を受け付ける編成結果情報受付処理と、
前記編成結果情報受付処理にて受け付けた前記編成結果情報を格納する格納処理とを
更に実行させるための請求項１４又は１５に記載の広告情報管理プログラム。
【請求項１７】
広告情報管理サーバに管理業者における広告コンテンツの編成を支援する処理を更に実行させるための広告情報管理プログラムであって、
前記広告情報管理サーバに、
管理業者からの編成要求を受け付ける編成要求受付処理と、
前記編成要求受付処理にて受け付けた前記編成要求に基づいて、編成の対象となる編成範囲を指定するための編成範囲指定画面を表示する編成範囲指定画面表示処理と、
前記編成範囲指定画面を用いて行われた編成範囲指定を受け付ける編成範囲指定受付処理と、
前記編成範囲指定受付処理にて受け付けた前記編成範囲指定に基づいて、指定された前記編成範囲における広告コンテンツの放映順序の変更を行うための編成画面を表示する編成画面表示処理と、
前記編成画面を用いて行われた編成処理の処理結果を示す編成結果情報を受け付ける編成結果情報受付処理と、
前記編成結果情報受付処理にて受け付けた前記編成結果情報を格納する格納処理とを
更に実行させるための請求項１４乃至１６いずれか１項に記載の広告情報管理プログラム。
【発明の詳細な説明】
【技術分野】
【０００１】
本発明は、電子看板（デジタルサイネージ）に配信する広告情報を管理する広告情報管理サーバ、広告情報管理システム及び広告情報管理プログラムに関するものである。
【背景技術】
【０００２】
従来から、デジタルサイネージ、すなわち、屋外・店頭・公共空間・交通機関等（以下、「公共施設等」という）のあらゆる場所に設置され、ネットワークに接続された表示装置を使って情報を発信するシステムが知られている（特許文献１）。
【０００３】
このようなデジタルサイネージに関する従来の広告配信業務は、広告主及びその代理店（以下、「ユーザ」という）から広告配信の管理業者に対して電話やメール等の手段を用いて広告枠の申し込み、広告素材の入稿、広告コンテンツの作成指示及び広告放映条件の指示等がなされ、このようなユーザからの申し込みや指示に基づいて、管理業者が広告枠の調整及び確定、広告素材のチェック及びコンテンツ審査、編成（広告コンテンツの作成、放映条件や放映順序の調整）、プレビューの作成、表示装置への配信等を手作業にて行い、これらの設定に基づいて、表示装置において複数の広告コンテンツを放映させている。
【先行技術文献】
【特許文献】
【０００４】
【特許文献１】特開２００１−３３８２１６号公報
【発明の概要】
【発明が解決しようとする課題】
【０００５】
しかしながら、従来の広告配信業務の方法では、複数のユーザからの指示に基づいて管理業者が手作業にて編成等を行うものであるため、広告配信業務における管理業者の負担が大きく、広告メディアの規模拡大への対応に限界があるという問題がある。
【０００６】
そこで、本発明は、広告配信業務の効率を向上させ、広告メディアの規模拡大への対応を容易にすることを目的とする。
【課題を解決するための手段】
【０００７】
以上の目的を達成するため、本発明に係る第一の広告情報管理サーバは、ユーザが管理するユーザ端末からの広告コンテンツの放映条件の設定を受け付ける広告情報管理サーバであって、前記ユーザ端末からの放映条件設定要求を受け付ける放映条件設定要求受付手段と、前記放映条件設定要求受付手段によって受け付けた前記放映条件設定要求に基づいて、広告コンテンツの放映パターンを設定する単位を設定するための掲出条件設定画面と、当該掲出条件設定画面を用いて設定された前記放映パターンの単位毎に広告コンテンツの放映パターンを設定するための放映パターン設定画面と、当該放映パターン設定画面を用いて設定された前記放映パターン毎に適用させる広告コンテンツを設定するための適用コンテンツ設定画面とを含む放映条件設定画面を示す放映条件設定画面情報を、前記ユーザ端末に対して送信する放映条件設定画面情報送信手段と、前記放映条件設定画面を用いて設定された放映条件を受け付ける放映条件設定受付手段と、前記放映条件設定受付手段によって受け付けた前記放映条件を格納する格納手段とを備えたことを特徴とする。
【０００８】
本発明に係る第一の広告情報管理サーバにおいて、前記掲出条件設定画面には、広告コンテンツの放映パターンを一括で設定する放映パターン一括設定領域、又は、広告コンテンツの放映パターンを複数に分割して設定する放映パターン分割設定領域のいずれかが設けられているとしても良い。また、この場合において、前記放映パターン分割設定領域には、放映期間の分割の設定を行う放映期間分割設定領域、放映場所の分割の設定を行う放映場所分割設定領域、及び申込枠の分割の設定を行う申込枠分割設定領域のうち、少なくとも１つが設けられるとしても良い。
【０００９】
また、本発明に係る第一の広告情報管理サーバにおいて、前記放映パターン設定画面には、各放映場所に設けられている２以上の表示装置の分割の設定を行う表示装置分割設定領域が設けられているとしても良く、また、前記放映パターン設定画面には、放映日の分割の設定を行う放映日分割設定領域、及び放映時間の分割の設定を行う放映時間分割設定領域のうち、少なくとも１つが設けられるとしても良い。
【００１０】
また、上記目的を達成するための本発明に係る第二の広告情報管理サーバは、広告コンテンツの作成を支援する広告情報管理サーバであって、広告コンテンツを作成するためのコンテンツ素材を格納するコンテンツ素材格納手段と、ユーザが管理するユーザ端末からの広告コンテンツ作成要求を受け付ける広告コンテンツ作成要求受付手段と、前記広告コンテンツ作成要求受付手段によって受け付けた前記広告コンテンツ作成要求に基づいて、前記コンテンツ素材格納手段に格納されたコンテンツ素材の選択を行うコンテンツ素材選択領域及び選択された１以上のコンテンツ素材から広告コンテンツを作成する広告コンテンツ作成領域が設けられた広告コンテンツ作成画面を示す広告コンテンツ作成画面情報を、前記ユーザ端末に対して送信する広告コンテンツ作成画面情報送信手段と、前記広告コンテンツ作成画面を用いて作成された広告コンテンツを示す広告コンテンツ構成情報を受け付ける広告コンテンツ構成情報受付手段と、前記広告コンテンツ構成情報受付手段によって受け付けた前記広告コンテンツ構成情報を格納する広告コンテンツ格納手段とを備えた
ことを特徴とする。
【００１１】
本発明に係る第二の広告情報管理サーバにおいて、前記広告コンテンツ作成画面には、前記コンテンツ素材格納手段に格納された広告コンテンツを選択することにより、該広告コンテンツを構成する１以上のコンテンツ素材の選択を行う広告コンテンツ選択領域が更に設けられるとしても良い。また、前記広告コンテンツ作成画面には、前記ユーザ端末に格納された新規コンテンツ素材の選択を行う新規コンテンツ素材選択領域が設けられており、前記新規コンテンツ素材選択領域にて選択された新規コンテンツ素材を前記コンテンツ素材格納手段に保存する新規コンテンツ素材保存手段を備えるとしても良い。
【００１２】
また、本発明に係る第二の広告情報管理サーバにおいて、前記広告コンテンツ作成画面には、コンテンツ素材毎に、コンテンツ素材の放映秒数の設定を行う放映秒数設定領域、コンテンツ素材に対するエフェクトの設定を行うエフェクト設定領域、及びコンテンツ素材の放映順序の設定を行う放映順序設定領域が設けられているとしても良い。
【００１３】
さらに、上記目的を達成するための本発明に係る第三の広告情報管理サーバは、管理業者における広告コンテンツの編成を支援する広告情報管理サーバであって、管理業者が管理する管理者端末からの編成要求を受け付ける編成要求受付手段と、前記編成要求受付手段によって受け付けた前記編成要求に基づいて、編成の対象となる編成範囲を指定するための編成範囲指定画面を示す編成範囲指定画面情報を前記管理者端末に対して送信する編成範囲指定画面情報送信手段と、前記編成範囲指定画面を用いて行われた編成範囲指定を受け付ける編成範囲指定受付手段と、前記編成範囲指定受付手段によって受け付けた前記編成範囲指定に基づいて、指定された前記編成範囲における広告コンテンツの放映順序の変更処理を含む編成処理を行うための編成画面を示す編成画面情報を、前記管理者端末に対して送信する編成画面情報送信手段と、前記編成画面を用いて行われた編成処理の処理結果を示す編成結果情報を受け付ける編成結果情報受付手段と、前記編成結果情報受付手段によって受け付けた前記編成結果情報を格納する格納手段とを備えたことを特徴とする。
【００１４】
またさらに、上記目的を達成するための本発明に係る第四の広告情報管理サーバは、管理業者における広告コンテンツの編成を支援する広告情報管理サーバであって、管理業者からの編成要求を受け付ける編成要求受付手段と、前記編成要求受付手段によって受け付けた前記編成要求に基づいて、編成の対象となる編成範囲を指定するための編成範囲指定画面を表示する編成範囲指定画面表示手段と、前記編成範囲指定画面を用いて行われた編成範囲指定を受け付ける編成範囲指定受付手段と、前記編成範囲指定受付手段によって受け付けた前記編成範囲指定に基づいて、指定された前記編成範囲における広告コンテンツの放映順序の変更を行うための編成画面を表示する編成画面表示手段と、前記編成画面を用いて行われた編成処理の処理結果を示す編成結果情報を受け付ける編成結果情報受付手段と、前記編成結果情報受付手段によって受け付けた前記編成結果情報を格納する格納手段とを備えたことを特徴とする。
【００１５】
本発明に係る第三及び第四の広告情報管理サーバは、フィラー用コンテンツを格納するコンテンツ格納手段と、予め定められたタイミングにおいて放映枠に空き枠が生じている際に、前記コンテンツ格納手段に格納されたフィラー用コンテンツを前記空き枠に割り当てるフィラー用コンテンツ割当手段とを更に備えるとしても良い。
【００１６】
上記目的を達成するための本発明に係る広告情報管理システムは、前記広告情報管理サーバを備えることを特徴とする。
【００１７】
上記目的を達成するための本発明に係る第一の広告情報管理プログラムは、ユーザが管理するユーザ端末からの広告コンテンツの放映条件の設定を受け付ける広告情報管理サーバに、広告に関する情報を管理するための処理を実行させる広告情報管理プログラムであって、前記広告情報管理サーバに、前記ユーザ端末からの放映条件設定要求を受け付ける放映条件設定要求受付処理と、前記放映条件設定要求受付処理にて受け付けた前記放映条件設定要求に基づいて、広告コンテンツの放映パターンを設定する単位を設定するための掲出条件設定画面と、当該掲出条件設定画面を用いて設定された前記放映パターンの単位毎に広告コンテンツの放映パターンを設定するための放映パターン設定画面と、当該放映パターン設定画面を用いて設定された前記放映パターン毎に適用させる広告コンテンツを設定するための適用コンテンツ設定画面とを含む放映条件設定画面を示す放映条件設定画面情報を、前記ユーザ端末に対して送信する放映条件設定画面情報送信処理と、前記放映条件設定画面を用いて設定された放映条件を受け付ける放映条件設定受付処理と、前記放映条件設定受付処理にて受け付けた前記放映条件を格納する格納処理とを実行させるための広告情報管理プログラムであることを特徴とする。
【００１８】
また、上記目的を達成するための本発明に係る第二の広告情報管理プログラムは、広告情報管理サーバに広告コンテンツの作成を支援する処理を実行させるための広告情報管理プログラムであって、前記広告情報管理サーバに、ユーザが管理するユーザ端末からの広告コンテンツ作成要求を受け付ける広告コンテンツ作成要求受付処理と、前記広告コンテンツ作成要求受付処理にて受け付けた前記広告コンテンツ作成要求に基づいて、広告コンテンツを作成するためのコンテンツ素材を格納するコンテンツ素材格納手段に格納された当該コンテンツ素材の選択を行うコンテンツ素材選択領域及び選択された１以上のコンテンツ素材から広告コンテンツを作成する広告コンテンツ作成領域が設けられた広告コンテンツ作成画面を示す広告コンテンツ作成画面情報を、前記ユーザ端末に対して送信する広告コンテンツ作成画面情報送信処理と、前記広告コンテンツ作成画面を用いて作成された広告コンテンツを示す広告コンテンツ構成情報を受け付ける広告コンテンツ構成情報受付処理と、前記広告コンテンツ構成情報受付処理にて受け付けた前記広告コンテンツ構成情報を格納する広告コンテンツ格納処理とを実行させるための広告情報管理プログラムであることを特徴とする。
【００１９】
さらに、上記目的を達成するための本発明に係る第三の広告情報管理プログラムは、広告情報管理サーバに管理業者における広告コンテンツの編成を支援する処理を実行させるための広告情報管理プログラムであって、前記広告情報管理サーバに、管理業者が管理する管理者端末からの編成要求を受け付ける編成要求受付処理と、前記編成要求受付処理にて受け付けた前記編成要求に基づいて、編成の対象となる編成範囲を指定するための編成範囲指定画面を示す編成範囲指定画面情報を前記管理者端末に対して送信する編成範囲指定画面情報送信処理と、前記編成範囲指定画面を用いて行われた編成範囲指定を受け付ける編成範囲指定受付処理と、前記編成範囲指定受付処理にて受け付けた前記編成範囲指定に基づいて、指定された前記編成範囲における広告コンテンツの放映順序の変更処理を含む編成処理を行うための編成画面を示す編成画面情報を、前記管理者端末に対して送信する編成画面情報送信処理と、前記編成画面を用いて行われた編成処理の処理結果を示す編成結果情報を受け付ける編成結果情報受付処理と、前記編成結果情報受付処理にて受け付けた前記編成結果情報を格納する格納処理とを実行させるための広告情報管理プログラムであることを特徴とする。
【００２０】
またさらに、上記目的を達成するための本発明に係る第四の広告情報管理プログラムは、広告情報管理サーバに管理業者における広告コンテンツの編成を支援する処理を実行させるための広告情報管理プログラムであって、前記広告情報管理サーバに、管理業者からの編成要求を受け付ける編成要求受付処理と、前記編成要求受付処理にて受け付けた前記編成要求に基づいて、編成の対象となる編成範囲を指定するための編成範囲指定画面を表示する編成範囲指定画面表示処理と、前記編成範囲指定画面を用いて行われた編成範囲指定を受け付ける編成範囲指定受付処理と、前記編成範囲指定受付処理にて受け付けた前記編成範囲指定に基づいて、指定された前記編成範囲における広告コンテンツの放映順序の変更を行うための編成画面を表示する編成画面表示処理と、前記編成画面を用いて行われた編成処理の処理結果を示す編成結果情報を受け付ける編成結果情報受付処理と、前記編成結果情報受付処理にて受け付けた前記編成結果情報を格納する格納処理とを実行させるための広告情報管理プログラムであることを特徴とする。
【発明の効果】
【００２１】
本発明によれば、広告配信業務の効率を向上させ、広告メディアの規模拡大への対応を容易にすることができる。
【図面の簡単な説明】
【００２２】
【図１】本発明の一実施形態に係る広告情報管理システムの構成例を示す構成図である。
【図２】本実施形態における広告情報管理サーバの構成例を示すブロック図である。
【図３】放映パターン管理テーブルの例を示す説明図である。
【図４】放映期間管理テーブルの例を示す説明図である。
【図５】放映場所管理テーブルの例を示す説明図である。
【図６】コンテンツ管理テーブルの例を示す説明図である。
【図７】素材管理テーブルの例を示す説明図である。
【図８】編成管理テーブルの例を示す説明図である。
【図９】表示装置管理テーブルの例を示す説明図である。
【図１０】放映条件設定受付処理の例を示すフローチャートである。
【図１１】申込一覧画面の例を示す説明図である。
【図１２】掲出条件設定画面の例を示す説明図である。
【図１３】放映パターン設定画面の設定前の例を示す説明図である。
【図１４】放映パターン設定画面において「平日・土日祝」を選択した場合の例を示す説明図である。
【図１５】放映パターン設定画面において「時間帯」を選択した場合の例を示す説明図である。
【図１６】放映パターン設定画面において「時間帯＆平日・土日祝」を選択した場合の例を示す説明図である。
【図１７】放映パターン設定画面において「曜日別」を選択した場合の例を示す説明図である。
【図１８】放映パターン設定画面において「時間別」を選択した場合の例を示す説明図である。
【図１９】放映パターン設定画面において「自由設定」を選択した場合の例を示す説明図である。
【図２０】放映パターン設定画面の設定後の例を示す説明図である。
【図２１】適用コンテンツ設定画面の例を示す説明図である。
【図２２】広告コンテンツ作成支援処理の例を示すフローチャートである。
【図２３】広告コンテンツ作成画面の例を示す説明図である。
【図２４】広告コンテンツ作成画面の入力例を示す説明図である。
【図２５】編成支援処理の例を示すフローチャートである。
【図２６】編成範囲指定画面の一の例を示す説明図である。
【図２７】編成画面の一の例を示す説明図である。
【図２８】編成範囲指定画面の他の例を示す説明図である。
【図２９】編成画面の他の例を示す説明図である。
【図３０】ロール編成画面の例を示す説明図である。
【図３１】進捗状況確認画面の例を示す説明図である。
【発明を実施するための形態】
【００２３】
次に、本発明の一実施形態に係る広告情報管理システムについて、図１を用いて説明する。本実施形態に係る広告情報管理システム１は、図１に示すように、広告情報を管理する広告情報管理サーバ１０と、ユーザ（広告主及びその代理店）からの広告枠等の申し込み情報を管理する広告枠管理サーバ２０と、ユーザにより操作されるユーザ端末３０と、広告情報管理サーバ１０及び広告枠管理サーバ２０を管理する管理業者の社員等により操作される管理者端末４０と、１以上の表示装置６０を制御する１以上の配信装置５０とを備えている。これら広告情報管理サーバ１０、広告枠管理サーバ２０、ユーザ端末３０、管理者端末４０及び配信装置５０は、インターネット等の通信ネットワーク７０に接続されている。各表示装置６０は、通信ケーブルを介して又は無線通信により、配信装置５０に接続されている。
【００２４】
広告枠管理サーバ２０は、ユーザからの広告枠の申し込み及びその取り消し等の要求をユーザ端末３０及び通信ネットワーク７０を介して受け付け、広告枠の調整及び広告枠の確定等を管理する機能を有しており、広告情報管理サーバ１０を管理する管理業者の社員等により管理されている。
【００２５】
ユーザ端末３０及び管理者端末４０は、例えばパーソナルコンピュータ等の情報処理装置であって、操作者からの入力を受け付ける例えばキーボード及びマウス等からなる入力部（図示せず）と、各種の情報を表示する例えば液晶表示装置等からなる表示部（図示せず）とを備えている。
【００２６】
表示装置６０は、様々なロケーションに設置されたいわゆる広告メディアであり、例えば、電車内に設置された表示装置６０Ａ１乃至６０Ａｎや、駅の構内に配置された表示装置６０Ｂ１乃至６０Ｂｎや、駅の構外に配置された表示装置６０Ｃ１乃至６０Ｃｎを含んでいる。本実施形態において、各表示装置６０Ａ１乃至６０Ａｎ、６０Ｂ１乃至６０Ｂｎ、６０Ｃ１乃至６０Ｃｎは、いずれも、１つの表示装置に対して１つの面（表示パネル）を有するものとして説明するが、これに限定されず、１つの表示装置が２以上の面を有するとしても良い。配信装置５０は、例えば、電車内に設置された表示装置６０Ａ１乃至６０Ａｎに対する配信管理等の制御を行う配信装置５０Ａと、駅の構内に配置された表示装置６０Ｂ１乃至６０Ｂｎに対する配信管理等の制御を行う配信装置５０Ｂと、駅の構外に配置された表示装置６０Ｃ１乃至６０Ｃｎに対する配信管理等の制御を行う配信装置５０Ｃとを含んでいる。
【００２７】
広告情報管理サーバ１０は、図２に示すように、放映条件管理部１１と、コンテンツ管理部１２と、素材入稿管理部１３と、編成管理部１４と、配信管理部１５と、各種の制御を行う制御部１６と、広告情報を格納する格納部（データベース）１７とを含んでいる。
【００２８】
本実施形態における広告情報管理サーバ１０において、広告情報とは、広告配信業務に必要な情報をいい、例えば、各ユーザに関する情報や、申込枠に対してユーザにより設定された放映条件に関する情報、コンテンツに関する情報、管理業者が行った編成内容に関する情報並びに各表示装置６０の設置場所や設置構成等に関する情報等を含んでいる。ここで、コンテンツには、ユーザからの指示により放映する広告コンテンツ、例えば施設案内等の管理業者が管理する業務用コンテンツ及び行政機関等から放映を義務付けされている行政用コンテンツ等が含まれる。
【００２９】
放映条件管理部１１は、ユーザ端末３０からの放映条件の設定に関する要求を受け付ける放映条件設定要求受付機能と、ユーザ端末３０からの要求に基づいて、後述する放映条件設定画面情報をユーザ端末３０に送信する放映条件設定画面情報送信機能と、放映条件設定画面を用いてユーザ端末３０において設定された放映条件設定情報をユーザ端末３０から受け付ける放映条件設定情報受付機能と、受け付けた放映条件設定情報を格納部１７に格納する処理を実行する格納処理実行機能とを有している。この放映条件設定画面は、後述するように、広告コンテンツの放映パターンを設定する単位を設定するための掲出条件設定画面と、放映パターンの単位毎に広告コンテンツの放映パターンを設定するための放映パターン設定画面と、放映パターン毎に適用させる広告コンテンツを設定するための適用コンテンツ設定画面とを含んでいる。
【００３０】
コンテンツ管理部１２は、ユーザ端末３０からの広告コンテンツの作成に関する要求を受け付ける広告コンテンツ作成要求受付機能と、ユーザ端末３０からの要求に基づいて、後述する広告コンテンツ作成画面情報をユーザ端末３０に送信する広告コンテンツ作成画面情報送信機能と、広告コンテンツ作成画面を用いてユーザ端末３０において設定された広告コンテンツ構成情報をユーザ端末３０から受け付ける広告コンテンツ構成情報受付機能と、受け付けた広告コンテンツ構成情報を格納部１７に格納する処理を実行する格納処理実行機能とを有している。この広告コンテンツ作成画面は、後述するように、格納部１７に格納されたコンテンツ素材の選択を行うこと及び選択された１以上のコンテンツ素材から広告コンテンツを作成することが可能な画面である。ここで、コンテンツ素材には、過去に格納部１７に格納された既存コンテンツ素材と、ユーザ端末３０から通信ネットワーク７０を介して新たにアップロードされた新規コンテンツ素材とが含まれる。
【００３１】
素材入稿管理部１３は、ユーザ端末３０からの新規コンテンツ素材のアップロードを受け付ける新規コンテンツ素材入稿受付機能と、受け付けた新規コンテンツ素材のファイル形式等をチェックし、予め定められたファイル形式等（以下、「レギュレーション」という）に適合しない新規コンテンツ素材のアップロードを拒否する素材レギュレーションチェック機能と、レギュレーションに適合する新規コンテンツ素材を格納部１７に格納する処理を実行する格納処理実行機能とを有している。
【００３２】
編成管理部１４は、管理者端末４０からの編成処理に関する要求を受け付ける編成要求受付機能と、管理者端末４０からの要求に基づいて、編成処理の対象となる編成範囲を指定するための後述する編成範囲指定画面情報を管理者端末４０に対して送信する編成範囲指定画面情報送信機能と、編成範囲指定画面を用いて管理者端末４０において設定された編成範囲指定を受け付ける編成範囲指定受付機能と、指定された編成範囲における広告コンテンツの放映順序の変更処理を含む編成処理を行うための後述する編成画面情報を管理者端末４０に対して送信する編成画面情報送信機能と、編成画面を用いて管理者端末４０において設定された編成処理の情報を受け付ける編成情報受付機能と、受け付けた編成情報を格納部１７に格納する処理を実行する格納処理実行機能と、予め定められたタイミングにおいて放映枠に空き枠が生じている際にフィラー用のコンテンツを空き枠に割り当てる処理を実行するフィラー用コンテンツ割当機能とを有している。ここで、各表示装置において放映する枠を放映枠といい、この放映枠のうち、放映するコンテンツ（広告コンテンツ、業務用コンテンツ及び行政用コンテンツ等）が割り当てられていない枠を空き枠という。また、フィラー用コンテンツは、格納部１７に格納されたコンテンツ、例えば業務用コンテンツや行政用コンテンツであり、このフィラー用コンテンツの割り当ては、空き枠の秒数に整合する１以上のコンテンツをランダムに抽出することにより行われる。
【００３３】
配信管理部１５は、管理者端末４０からの各配信装置５０Ａ乃至５０Ｃに対する配信依頼を受け付け、この管理者端末４０からの依頼に基づいて、各配信装置５０Ａ乃至５０Ｃに対して放映指示及びコンテンツの配信をプラグインを介して実行する機能を有している。制御部１６は、例えば、予め定められたタイミング（例えば締め切り数日前）にユーザ端末３０に対して作業進捗の確認処理を実行する進捗状況確認機能や、ユーザ端末３０に対して締め切り日までのカウントダウンを告知する処理を実行するカウントダウン告知機能等を含む種々の機能を有している。
【００３４】
格納部１７は、予めユーザによってアップロードされた過去のコンテンツ素材（既存コンテンツ素材）及びユーザによって新たにアップロードされた新規コンテンツ素材と、予めユーザによって作成された広告コンテンツ（既存広告コンテンツ）及びユーザによって新たに作成された新規広告コンテンツと、業務用コンテンツと、行政用コンテンツと、後述する各種画面を構成する各種テンプレート等を格納する機能を有している。
【００３５】
また、格納部１７には、例えば、図３乃至図９に示すような、各広告コンテンツに対する放映パターン情報を管理するための放映パターン管理テーブルと、ユーザにより設定された放映期間グループ情報を管理するための放映期間管理テーブルと、ユーザにより設定された放映場所グループ情報を管理するための放映場所管理テーブルと、各コンテンツ情報を管理するためのコンテンツ管理テーブルと、各コンテンツ素材情報を管理するための素材管理テーブルと、管理者によって編成された編成情報を管理するための編成管理テーブルと、各放映場所に設置された表示装置の情報を管理するための表示装置管理テーブル等の種々の情報が格納されている。
【００３６】
放映パターン管理テーブルは、例えば図３に示すように、放映パターンＩＤと、放映期間ＩＤと、放映場所ＩＤと、枠Ｎｏ．と、ユーザにより設定されたメモと、放映パターンの種類と、放映する曜日・祝日と、放映する時間帯と、適用する広告コンテンツのコンテンツＩＤとが対応付けられたデータが保存されている。放映期間管理テーブルは、例えば図４に示すように、放映期間ＩＤと、放映開始日と、放映終了日とが対応付けられたデータが保存されている。放映場所管理テーブルは、例えば図５に示すように、放映場所ＩＤと、放映場所詳細とが対応付けられたデータが保存されている。コンテンツ管理テーブルは、例えば図６に示すように、広告コンテンツのコンテンツＩＤと、広告コンテンツのタイトルと、広告コンテンツの秒数と、コンテンツ素材の素材ＩＤと、コンテンツ素材の放映秒数と、コンテンツ素材に付与されたエフェクトの種類と、エフェクトの秒数と、コンテンツ素材の放映順序と、代理店情報と、広告主情報とが対応付けられたデータが保存されている。素材管理テーブルは、例えば図７に示すように、コンテンツ素材の素材ＩＤと、コンテンツ素材のタイトルと、コンテンツ素材のファイル名とが対応付けられたデータが保存されている。編成管理テーブルは、例えば図８に示すように、放映日と、放映時間と、放映場所と、コンテンツＩＤと、放映順序とが対応付けられたデータが保存されている。表示装置管理テーブルは、例えば図９に示すように、放映場所と、表示装置ＩＤと、予め定められた表示装置のグループの種類である面パターン種類とが対応付けられたデータが保存されている。ここで、「放映パターンＩＤ」とは、後述する放映パターン設定処理により設定される放映パターン毎に付与される識別番号を意味し、「放映期間ＩＤ」とは、後述する掲出条件設定処理により設定される放映期間グループの識別番号を意味し、「放映場所ＩＤ」とは、後述する掲出条件設定処理により設定される放映場所グループの識別番号を意味し、「枠Ｎｏ．」とは、後述する掲出条件設定処理により設定される枠の識別番号を意味し、「コンテンツＩＤ」とは、各コンテンツに割り当てられている識別番号を意味し、「素材ＩＤ」とは、各コンテンツ素材に割り当てられている識別番号を意味し、「表示装置ＩＤ」とは、各表示装置に割り当てられている識別番号を意味する。また、本実施形態において、「面パターン種類」には、全ての放映場所に共通する標準パターン及び面毎パターンと、放映場所毎に設定される１以上の任意パターン（例えば、渋谷駅北口が放映場所である場合には、図９に示すパターンＣ及びパターンＤ）とが予め設定されている。標準パターン及び任意パターンが規定する表示装置のグループ内容は、予め管理業者等によって定められている。面毎パターンは、図９には図示していないが、表示装置をグループ化せず、１つの表示装置を一単位とするものである。
【００３７】
次に、本実施形態における広告情報管理サーバ１０の動作について、図１０乃至図２９に基づいて説明する。本実施形態における広告情報管理サーバ１０は、主に、放映条件設定処理動作と、広告コンテンツ作成支援処理動作と、編成支援処理動作とを実行するものである。以下、各動作について詳細に説明する。
【００３８】
［放映条件設定処理］
まず、本実施形態における広告情報管理サーバ１０の放映条件設定処理動作の一例について、図１０乃至図２１に基づいて説明する。この放映条件設定処理動作は、概略的には、広告情報管理サーバ１０が、ユーザからの要求に応じて放映条件を設定するための放映条件設定画面を通信ネットワーク７０を介してユーザ端末３０に送信し、この放映条件設定画面を用いて設定された放映条件設定情報を通信ネットワーク７０を介してユーザ端末３０から受信し、この放映条件情報を格納部１７に格納する処理を実行する動作である。以下、本発明に関係しない処理については、その内容を省略している場合がある。
【００３９】
まず、図１０に示すように、ユーザ端末３０が広告枠管理サーバ２０にアクセスすることにより、広告情報管理サーバ１０の放映条件設定処理動作が開始される（ステップＳ１）。広告枠管理サーバ２０は、ユーザ端末３０からのアクセスを受け付け、周知の方法によりユーザ端末３０のログイン処理を実行した後、ログインしたユーザに関する申込状況の一覧が掲載された申込一覧画面情報をユーザ端末３０に送信する（ステップＳ２）。ユーザ端末３０は、広告枠管理サーバ２０から送信された申込一覧画面情報を受け付け、この申込一覧画面情報が示す申込一覧画面を表示部に表示する（ステップＳ３）。この申込一覧画面には、図１１に示すように、申込状況の詳細を表示する申込状況表示領域１０１と、選択されることにより広告コンテンツ作成要求を広告情報管理サーバ１０に対して送信するコンテンツ作成ボタン１０２と、選択されることにより放映条件設定要求を広告情報管理サーバ１０に対して送信する放映条件設定ボタン１０３とが、申し込み内容毎に設けられており、また、選択されることによりログアウト処理を実行するログアウトボタン１０４が一つ設けられている。申込状況表示領域１０１には、例えば、代理店の名称と、広告主の名称と、広告内容と、放映場所である商品の情報と、契約放映期間と、契約枠数（申込枠数）とが表示されている。ここで、図１１に示した申込状況表示領域１０１に記載の「ステーションネットワークセット」とは、予め定められた複数の放映場所（本実施例においては、複数の駅の構内）をセットにしたものである。
【００４０】
そして、申込一覧画面における放映条件設定ボタン１０３がユーザによって選択されると、ユーザ端末３０が、入力部を介してユーザからの放映条件設定ボタン１０３の選択（放映条件設定要求）を受け付け（ステップＳ４）、この放映条件設定要求を広告情報管理サーバ１０に対して送信し（ステップＳ５）、広告情報管理サーバ１０が、ユーザ端末３０からの放映条件設定要求を放映条件管理部１１によって受け付ける（ステップＳ６）。以下、本実施例においては、図１１における「代理店」が「Ａ代理店」、「広告主」が「ａ社」、「広告内容」が「○×」、「商品」が「ステーションネットワークセット」、「契約放映期間」が「２０ＸＸ／６／２０〜２０ＸＸ／７／３」、「申込枠数」が「２」である申込内容に対する放映条件設定ボタン１０３が、入力部を介してユーザによって選択された例について説明する。
【００４１】
次に、広告情報管理サーバ１０は、ユーザ端末３０からの放映条件設定要求に基づいて、放映条件の設定を行うための放映条件設定画面情報をユーザ端末３０に対して送信する（ステップＳ７）。ここで、本実施例において、放映条件設定画面は、広告コンテンツの放映パターンを設定する単位を設定するための掲出条件設定画面と、放映パターンの単位毎に広告コンテンツの放映パターンを設定するための放映パターン設定画面と、放映パターン毎に適用させる広告コンテンツを設定するための適用コンテンツ設定画面とを含んでおり、例えば、掲出条件設定画面→放映パターン設定画面→適用コンテンツ設定画面の順で、ユーザ端末３０が表示部に表示するように設定されている。この掲出条件設定画面の例を図１２に、放映パターン設定画面の例を図１３乃至図２０に、適用コンテンツ設定画面の例を図２１にそれぞれ示す。以下、本実施例における放映条件設定画面は、掲出条件設定画面によって、ユーザからの申込内容を放映期間、放映場所及び枠数という大まかな項目によって分割することの有無及びその分割方法の設定（広告コンテンツの放映パターンを設定する単位の設定）を受け付け、放映パターン設定画面によって、掲出条件設定によって分割された申込内容を放映日及び放映時間というより詳細な項目によって更に分割することの有無及びその分割方法の設定（放映パターンの設定）を受け付け、適用コンテンツ設定画面によって、放映パターン設定によって特定された放映パターン毎に広告コンテンツを適用することを受け付けるための設定画面であるものとして説明する。
【００４２】
ユーザ端末３０は、広告情報管理サーバ１０から送信された放映条件設定画面情報を受け付け、まず、この放映条件設定画面情報が示す掲出条件設定画面を表示部に表示する（ステップＳ８）。この掲出条件設定画面には、図１２に示すように、選択中の申込内容を表示する申込内容表示領域１１１と、広告コンテンツの放映パターンを一括で設定することを選択するための一括設定ラジオボタン１１２と、広告コンテンツの放映パターンを複数に分割して設定することを選択するための分割設定ラジオボタン１１３と、分割設定ラジオボタン１１３が選択された際に有効になるようにプログラムされた放映期間分割設定ラジオボタン１１４、放映場所分割設定ラジオボタン１１５及び枠分割設定ラジオボタン１１６と、後述する放映期間グループ設定ラジオボタン１１４ｃが選択された際に有効になるようにプログラムされた、任意の放映期間グループを設定するための放映期間グループ設定領域１１７と、後述する放映場所グループ設定ラジオボタン１１５ｂが選択された際に有効になるようにプログラムされた、任意の放映場所グループを設定するための放映場所グループ設定領域１１８と、後述する枠数設定ラジオボタン１１６ｂが選択された際に有効になるようにプログラムされた、申込枠の分割数及び分割枠数を設定するための枠数設定領域１１９と、選択されることにより放映パターン設定画面への移行処理を実行する「次へ」ボタン１２０とが設けられている。
【００４３】
申込内容表示領域１１１には、例えば、契約放映期間と、広告内容と、契約枠数（申込枠数）と、広告主の名称と、代理店の名称とが表示されている。一括設定ラジオボタン１１２と分割設定ラジオボタン１１３とは、いずれか一方のみを選択できるようにプログラムされている。
【００４４】
放映期間分割設定ラジオボタン１１４は、放映期間を分割せずに全ての放映期間単位に同じ放映パターンを設定することを選択するための放映期間一括設定ラジオボタン１１４ａと、放映期間を１週間単位で分割して放映パターンを設定することを選択するための週単位設定ラジオボタン１１４ｂと、放映期間を任意の放映期間グループに分割して放映パターンを設定することを選択するための放映期間グループ設定ラジオボタン１１４ｃとから構成されており、これらラジオボタン１１４ａ乃至１１４ｃのいずれか一つのみを選択できるようにプログラムされている。放映期間グループ設定領域１１７は、放映期間グループ毎に、放映期間グループＩＤと、放映開始日と、放映終了日とが表示されており、この放映終了日は、例えばプルダウン方式によって複数の候補日を表示し、その候補日の中から一つを選択するようにプログラムされている。また、最上位の放映期間グループの開始日（図１２の例では、放映期間グループ１の開始日）は、契約放映期間の開始日となるようにプログラムされ、下位の放映期間グループの開始日（図１２の例では、放映期間グループ２の開始日）は、直近の上位の放映期間グループの終了日（図１２の例では、放映期間グループ１の終了日）の翌日となるようにプログラムされ、最下位の放映期間グループの終了日（図１２の例では、放映期間グループ２の終了日）は、契約放映期間の終了日となるようにプログラムされている。ここで、放映終了日の入力は、直接入力される形式であっても良い。また、図１２に示した例においては、放映期間グループ設定領域１１７には、放映期間グループ１及び放映期間グループ２の２つのグループについて設定するように図示されているが、これに限定されず、３つ以上のグループについて設定可能としても良い。
【００４５】
放映場所分割設定ラジオボタン１１５は、放映場所を分割せずに全ての放映場所単位に同じ放映パターンを設定することを選択するための放映場所一括設定ラジオボタン１１５ａと、放映場所を任意の放映場所グループに分割して放映パターンを設定することを選択するための放映場所グループ設定ラジオボタン１１５ｂとから構成されており、これらラジオボタン１１５ａ及び１１５ｂのいずれか一つのみを選択できるようにプログラムされている。放映場所グループ設定領域１１８は、放映場所グループ１に属する放映場所の名称が表示される放映場所グループ１表示領域１１８ａと、放映場所グループ２に属する放映場所の名称が表示される放映場所グループ２表示領域１１８ｂと、放映場所グループ１表示領域１１８ａに表示された放映場所の名称を選択した状態で押下されることにより、選択状態の放映場所名称を放映場所グループ２表示領域１１８ｂに移動させるようにプログラムされた第１移動ボタン１１８ｃと、放映場所グループ２表示領域１１８ｂに表示された放映場所の名称を選択した状態で押下されることにより、選択状態の放映場所名称を放映場所グループ１表示領域１１８ａに移動させるようにプログラムされた第２移動ボタン１１８ｄとを含んでいる。放映場所グループ１表示領域１１８ａ及び放映場所グループ２表示領域１１８ｂには、これら表示領域を上下にスクロールさせるためのスクロールボタン１１８ｅ、１１８ｆがそれぞれ設けられている。ここで、図１２に示した例においては、放映場所グループ設定領域１１８には、放映場所グループ１及び放映場所グループ２の２つのグループについて設定するように図示されているが、これに限定されず、３つ以上のグループについて設定可能としても良い。
【００４６】
枠分割設定ラジオボタン１１６は、申込枠を分割しないことを選択するための非枠分割設定ラジオボタン１１６ａと、申込枠を分割して放映パターンを設定することを選択するための枠数設定ラジオボタン１１６ｂとから構成されており、これらラジオボタン１１６ａ、１１６ｂの一方のみを選択できるようにプログラムされている。枠数設定領域１１９は、申込枠を分割する分割数と、分割する枠数の内訳である分割枠数とを直接入力する入力領域である。
【００４７】
「次へ」ボタン１２０は、一括設定ラジオボタン１１２が選択されるか、又は、分割設定ラジオボタン１１３と、放映期間の分割に関するラジオボタン１１４ａ乃至１１４ｃのいずれか１つ（ラジオボタン１１４ｃのときは、放映期間グループ設定領域１１７の設定を含む）と、放映場所の分割に関するラジオボタン１１５ａ及び１１５ｂのいずれか１つ（ラジオボタン１１５ｂのときは、放映場所グループ設定領域１１８の設定を含む）と、申込枠の分割に関するラジオボタン１１６ａ、１１６ｂのいずれか一方（ラジオボタン１１６ｂのときは、分割数及び分割枠数の入力を含む）とが選択されることにより、選択が有効になるようにプログラムされている。
【００４８】
そして、ユーザ端末３０は、掲出条件の設定、すなわち、掲出条件設定画面に設けられた各種ラジオボックスの選択並びに放映期間グループ設定領域１１７、放映場所グループ設定領域１１８及び枠数設定領域１１９への各種設定を、入力部を介してユーザから受け付ける（ステップＳ９）。以下、本実施例においては、図１２に示すように、放映期間が「２０ＸＸ／６／２０〜２０ＸＸ／６／２６」と「２０ＸＸ／６／２７〜２０ＸＸ／７／３」とに分割され、放映場所が「放映場所グループ１」と「放映場所グループ２」とに分割され、申込枠が２つに分割された例、すなわち、放映パターン設定の単位を８つ（放映パターン１乃至８）に設定した例について説明する（図１３参照）。
【００４９】
次に、ユーザ端末３０は、ユーザからの入力部を介した「次へ」ボタン１２０の選択を受け付けた場合に、放映パターン設定画面を表示部に表示する（ステップＳ１０）。この放映パターン設定画面には、図１３に示すように、選択中の申込内容を表示する申込内容表示領域１２１と、放映パターン設定の単位毎に、放映パターンの設定内容を表示する放映パターン設定内容表示領域１２２と、放映パターン設定の単位毎に設けられ、放映パターンの設定を受け付ける画面に移行するための放映パターン設定ボタン１２３と、放映パターン毎に設けられ、適用コンテンツ設定画面に移行するためのコンテンツ適用ボタン１２４と、放映パターン毎に設けられ、適用された広告コンテンツのプレビューを表示するための「プレビュー」ボタン１２７と、掲出条件設定画面に戻るための「戻る」ボタン１２５と、設定内容を広告情報管理サーバ１０に送信するための「設定完了」ボタン１２６とが設けられている。ここで、本実施例においては、放映パターン設定の初期設定として、いずれも「全日」、すなわち、月曜日から日曜日及び祝日の全時間帯（例えば５時から２４時）に同じ広告コンテンツを適用するような設定となっている。
【００５０】
ユーザ端末３０は、ユーザからの入力部を介した放映パターン設定ボタン１２３の選択を受け付けた場合に、放映パターンの詳細設定画面を表示部に表示する。この詳細設定画面には、図１４乃至図１９に示すように、選択中の申込内容を表示する申込内容表示領域１３１と、放映パターンの種類を選択するための放映パターン種類選択領域１３２と、放映パターンの詳細を設定するための放映パターン設定領域１３３と、入力された放映パターンの内容を図によって表示する放映パターン内容図示領域１３４と、入力された放映パターンの内容を放映パターン内容図示領域１３４に表示させるための「確認」ボタン１３５と、放映パターンの設定を確定して放映パターン設定画面に戻るための「パターン登録」ボタン１３６と、放映パターンの設定をキャンセルして放映パターン設定画面に戻るための「キャンセル」ボタン１３７とが設けられている。
【００５１】
放映パターン種類選択領域１３２は、例えばプルダウン方式によって、「全日」、「平日・土日祝」、「時間帯」、「時間帯及び平日・土日祝」、「曜日別」、「時間別」及び「自由設定」の選択肢を表示するようにプログラムされている。ここで、「全日」とは、日及び時間により放映パターンを分割させないことを意味し、「平日・土日祝」とは、平日（月曜日から金曜日）と土日祝（土曜日、日曜日及び祝日）とに分割（２分割）させることを意味し、「時間帯」とは、例えば「朝の部」（例えば５時から１０時）、「昼の部」（例えば１０時から１７時）及び「夜の部」（例えば１７時から２４時）に分割（本実施例においては３分割）させることを意味し、「時間帯及び平日・土日祝」とは、これら平日と土日祝の分割と時間帯による分割とを併せた分割（本実施例においては６分割）を意味し、「曜日別」とは、月曜日から日曜日及び祝日を任意に分割（最大８分割）させることを意味し、「時間別」とは、放映可能な時間（例えば５時から２４時）を１時間単位で分割（本実施例においては最大１９分割）させることを意味し、「自由設定」とは、これら曜日による分割と時間による分割とを併せた分割（本実施例においては最大１５２分割）を意味することとする。
【００５２】
放映パターン設定領域１３３は、分割した項目「Ｎｏ．」毎に、「メモ」欄と、月曜日から日曜日及び祝日にそれぞれ対応する８つのチェックボックス１３８と、「開始時間」欄と、「終了時間」欄とが設けられている。この放映パターン設定領域１３３は、放映パターン種類選択領域１３２の選択肢から「全日」、「平日・土日祝」、「時間帯」及び「時間帯及び平日・土日祝」のいずれかが選択された場合に、図１４乃至１６に示すように、これらの選択内容に応じた放映パターンの内容が、「メモ」欄、各チェックボックス１３８、「開始時間」欄及び「終了時間」欄に反映して表示されるようにプログラムされている。
【００５３】
一方、放映パターン設定領域１３３は、放映パターン種類選択領域１３２の選択肢から「曜日別」が選択された場合に、図１７に示すように、「開始時間」欄に「５：００」、「終了時間」欄に「２４：００」が表示されると共に、項目毎に、項目欄を増加させるための増加ボタン１３９及び項目欄を減少させるための項目減少ボタン１４０が表示されるようにプログラムされている。また、この場合の放映パターン設定領域１３３の「メモ」欄は、文字の直接入力を受け付ける入力領域１４１を形成し、各チェックボックス１３８は、それぞれ選択を受け付ける選択可能領域を形成するようにプログラムされている。ここで、図１７においては、曜日毎に分割した例を示している。
【００５４】
また、放映パターン設定領域１３３は、放映パターン種類選択領域１３２の選択肢から「時間別」が選択された場合に、図１８に示すように、全てのチェックボックス１３８が選択状態にされると共に、「曜日別」が選択された場合と同様に、「メモ」欄が入力領域１４１となり、増加ボタン１３９及び項目減少ボタン１４０が表示されるようにプログラムされている。また、この場合の放映パターン設定領域１３３の各「終了時間」欄は、例えばプルダウン方式によって放映可能時間（本実施例においては５時から２４時）のうち任意の時間を選択することが可能な選択領域１４２となるようにプログラムされている。この場合において、最上位の項目Ｎｏ．の「開始時間」欄には、放映可能時間の開始時間（本実施例においては５時）が表示されるようにプログラムされ、下位の項目Ｎｏ．の「開始時間」欄には、直近の上位の項目Ｎｏ．の「終了時間」が表示されるようにプログラムされている。ここで、開始時間及び終了時間は、直接入力されるようにしても良い。
【００５５】
さらに、放映パターン設定領域１３３は、放映パターン種類選択領域１３２の選択肢から「自由設定」が選択された場合に、図１９に示すように、「曜日別」が選択された場合と同様に、各チェックボックス１３８が選択可能領域を形成し、「メモ」欄が入力領域１４１を形成すると共に、増加ボタン１３９及び項目減少ボタン１４０が表示され、また、放映パターン設定領域１３３の各「終了時間」欄及び各「開始時間」欄が、「時間別」が選択された場合と同様に、例えばプルダウン方式等の選択領域１４２、１４３となるようにプログラムされている。
【００５６】
そして、ユーザ端末３０は、放映パターンの設定、すなわち、放映パターン種類選択領域１３２における放映パターンの種類の選択や、放映パターン設定領域１３３における放映パターンの詳細の各種設定を入力部を介してユーザから受け付け（ステップＳ１１）、その後「パターン登録」ボタン１３６がユーザにより選択されたことを検知した際に、図２０に示すような、設定された放映パターンの内容が放映パターン設定内容表示領域１２２に反映された放映パターン設定画面を表示部に表示する。ここで、図２０には、放映パターン１に「全日」が設定され、放映パターン２に「平日・土日祝」が設定され、放映パターン３に「時間帯」が設定され、放映パターン４に「時間帯及び平日・土日祝」が設定され、放映パターン５に「全日」が設定され、放映パターン６に１日単位で「曜日別」に分割（８分割）する設定がされ、放映パターン７に「５：００〜１０：００」、「１０：００〜１５：００」、「１５：００〜２０：００」、「２０：００〜２４：００」に「時間別」で分割（４分割）する設定がされ、放映パターン８に「月水金日」の「５：００〜１５：００」、「火木土祝」の「５：００〜１５：００」、「月水金日」の「１５：００〜２４：００」、「火木土祝」の「１５：００〜２４：００」に「自由設定」で分割（４分割）する設定がされた例を図示している。この放映パターン設定画面には、図２０から明らかであるように、放映パターンの設定によって分割された放映パターン毎にコンテンツ適用ボタン１２４が設けられており、ユーザは、各コンテンツ適用ボタン１２４を順に選択し、それぞれ放映パターン毎に適用させる広告コンテンツを指定する。
【００５７】
ユーザ端末３０は、ユーザからの入力部を介した各コンテンツ適用ボタン１２４の選択を受け付けた場合に、適用コンテンツ設定画面を表示部に表示する（ステップＳ１２）。この適用コンテンツ設定画面には、図２１に示すように、選択可能な広告コンテンツの内容を表示するコンテンツ内容表示領域１５０と、コンテンツ毎に設けられ、広告コンテンツのプレビューを表示するための「プレビュー」ボタン１５１と、コンテンツ毎に設けられ、適用するコンテンツを決定するための「適用」ボタン１５２と、コンテンツ内容表示領域１５０を上下にスクロールさせるためのスクロールボタン１５３と、コンテンツの適用をキャンセルして放映パターン設定画面に戻るための「キャンセル」ボタン１５４とが設けられている。本実施例において、この適用コンテンツ設定画面に対するコンテンツ情報の表示は、広告情報管理サーバ１０がユーザ端末３０からの格納部参照要求を受け付け、この格納部参照要求に基づいて格納部１７に保存されているコンテンツ情報をユーザ端末３０に送信すること等により、実行することができる。
【００５８】
そして、ユーザ端末３０は、広告コンテンツの適用、すなわち、「適用」ボタン１５２の選択を入力部を介してユーザから受け付けた際に（ステップＳ１３）、適用したコンテンツのコンテンツＩＤが放映パターン設定内容表示領域１２２の「コンテンツＩＤ」欄に反映された放映パターン設定画面を表示部に表示する。その後、ユーザ端末３０は、放映パターン設定画面の「設定完了」ボタン１２６の選択を入力部を介してユーザから受け付けた際に、掲出条件設定、放映パターン設定及びコンテンツ適用の各種設定内容を含む放映条件設定情報を広告情報管理サーバ１０に対して送信する（ステップＳ１４）。
【００５９】
そして、広告情報管理サーバ１０は、ユーザ端末３０からの放映条件設定情報を放映条件管理部１１によって受け付け（ステップＳ１５）、この放映条件設定情報を格納部１７の放映パターン管理テーブル、放映期間管理テーブル、放映場所管理テーブルにそれぞれ保存する（ステップＳ１６）。これにより、広告情報管理サーバ１０の放映条件設定処理動作が終了する。
【００６０】
本実施形態における広告情報管理サーバ１０において、放映条件設定画面は、掲出条件設定画面、放映パターン設定画面及び適用コンテンツ設定画面に分けて表示されるとしたが、これに限定されず、一の画面であるとしても良いし、さらに細分化されていても良い。
【００６１】
また、本実施形態においては、放映期間分割設定ラジオボタン１１４及び放映期間グループ設定領域１１７と、放映場所分割設定ラジオボタン１１５及び放映場所グループ設定領域１１８と、枠分割設定ラジオボタン１１６及び枠数設定領域１１９とは、一の画面（掲出条件設定画面）上に設けられるとしたが、これに限定されず、それぞれ別々に表示される画面に設けられるとしても良い。この場合、例えば、まず、放映期間分割設定ラジオボタン１１４及び放映期間グループ設定領域１１７が設けられた放映期間分割設定画面により放映期間の分割設定を行った後、放映場所分割設定ラジオボタン１１５及び放映場所グループ設定領域１１８が設けられた放映場所分割設定画面により、分割された放映期間単位毎に放映場所の分割設定を行い、その後、枠分割設定ラジオボタン１１６及び枠数設定領域１１９が設けられた枠分割設定画面により、分割された放映場所単位毎に枠分割の設定を行うことが可能となり、より詳細で自由度の高い放映条件の設定が可能となる。
【００６２】
また、本実施形態において、放映パターン設定画面は、放映パターン設定ボタン１２３が選択された際に放映パターンの詳細設定画面に先立ってユーザ端末３０の表示部に表示される面パターン設定画面（図示せず）を含むとしても良い。この面パターン設定画面は、各放映場所又は各放映場所グループに設置された２以上の面（本実施形態では、表示装置）に対して広告コンテンツを一括して設定するか、若しくは、所定の面パターンに分割して広告コンテンツを設定するかの選択を行うものである。この面パターン設定画面には、各放映場所又は各放映場所グループに設置された２以上の表示装置に対して同じ広告コンテンツを一括して設定することを選択するための面パターン一括設定ラジオボタンと、各放映場所又は各放映場所グループに設置された２以上の表示装置に対して異なる広告コンテンツを設定することを選択するための面パターン分割設定ラジオボタンとが設けられている。これら面パターン一括設定ラジオボタン及び面パターン分割設定ラジオボタンは、いずれか一つのみを選択できるようにプログラムされている。また、面パターン分割設定ラジオボタンは、選択されることにより、面パターン選択画面（図示せず）をユーザ端末３０の表示部に表示させるようにプログラムされている。この面パターン選択画面には、放映場所毎又は放映場所グループ毎に、２以上の表示装置の分割の種類を選択可能な領域が設けられており、例えば渋谷駅北口を放映場所として選択した場合には、例えば図９に示す「標準パターン」を選択するための標準パターン設定ラジオボタンと、「パターンＣ」を選択するためのパターンＣ設定ラジオボタンと、「パターンＤ」を選択するためのパターンＤ設定ラジオボタンと、表示装置を１つ単位で分割して放映パターンを設定することを選択するための面毎設定ラジオボタンとが設けられている。なお、この実施形態においては、この表示装置のグループのパターンとして、図９に示すような標準パターン、パターンＣ及びパターンＤや、図９に図示していない面毎パターンを例示しているが、これに限定されず、放映場所又は放映場所グループにおける表示装置の配置等に応じて、適宜種々のパターンを設定することができる。また、この実施形態においては、上述した放映パターン（日及び時間の条件）は、面パターンの分割の有無に拘わらず、各放映場所又は各放映場所グループに設置された２以上の表示装置に対して同じ設定となり、上述した広告コンテンツの適用は、設定された面パターン毎に行われることになるが、これに限定されるものではない。
【００６３】
以上に説明したように、本実施形態における広告情報管理サーバ１０は、ユーザが管理するユーザ端末３０からの要求に基づいて、広告コンテンツの放映パターンを設定する単位を設定するための掲出条件設定画面と、当該掲出条件設定画面を用いて設定された放映パターンの単位毎に広告コンテンツの放映パターンを設定するための放映パターン設定画面と、当該放映パターン設定画面を用いて設定された放映パターン毎に適用させる広告コンテンツを設定するための適用コンテンツ設定画面とを含む放映条件設定画面を示す放映条件設定画面情報を、ユーザ端末３０に対して送信するように構成されているため、広告配信業務の効率を向上させ、広告メディアの規模拡大への対応を容易にすることが可能となる。すなわち、本実施形態における広告情報管理サーバ１０によれば、ユーザ側において掲出条件の設定、放映パターンの設定及び適用させる広告コンテンツの設定を自由に行うことが可能となるので、管理業者における編成作業のうち放映条件の調整等の作業が不要となり、管理業者における編成作業に要する負担を飛躍的に軽減させることができる。また、本実施形態における広告情報管理サーバ１０によれば、管理業者における編成作業の負担が大幅に軽減されると共に、従来のようなユーザと管理業者との間の電話やメール等の手段のやり取りによって生じるタイムロスを無くすことができるため、広告配信業務に要する作業時間を大幅に短縮させることでき、これにより例えばユーザからの放映条件設定締切日を従来よりも遅らせることができる。
【００６４】
また、本実施形態における広告情報管理サーバ１０は、掲出条件設定画面に、広告コンテンツの放映パターンを一括で設定する放映パターン一括設定領域（例えば一括設定ラジオボタン１１２）、又は、広告コンテンツの放映パターンを複数に分割して設定する放映パターン分割設定領域（例えば分割設定ラジオボタン１１３）のいずれかが設けられていることにより、ユーザ側において一括で広告コンテンツの放映パターンを設定すること、又は、複数に分割して広告コンテンツの放映パターンを設定することが可能となり、ユーザ側における作業効率を向上させることができる。
【００６５】
さらに、本実施形態における広告情報管理サーバ１０は、放映パターン分割設定領域に、放映期間の分割の設定を行う放映期間分割設定領域（例えば放映期間分割設定ラジオボタン１１４及び放映期間グループ設定領域１１７）、放映場所の分割の設定を行う放映場所分割設定領域（例えば放映場所分割設定ラジオボタン１１５及び放映場所グループ設定領域１１８）、並びに申込枠の分割の設定を行う申込枠分割設定領域（例えば枠分割設定ラジオボタン１１６及び枠数設定領域１１９）のうち、少なくとも１つが設けられることにより、ユーザ側における作業効率を向上させると共に、ユーザ側における放映期間、放映場所、放映する枠の数等の放映条件の設定の自由度を向上させることができる。
【００６６】
さらに、本実施形態における広告情報管理サーバ１０は、放映パターン設定画面（例えば上述した面パターン設定画面）に、各放映場所（又は各放映場所グループ）に設けられている２以上の表示装置の分割の設定を行う表示装置分割設定領域（例えば面パターン一括設定ラジオボタン及び面パターン分割設定ラジオボタン）が設けられることにより、ユーザ側における作業効率をより一層向上させると共に、ユーザ側における面パターンの設定の自由度を向上させることができる。また、これにより、例えばある駅に設置された複数の表示装置に異なる広告コンテンツを放映する等の非常に複雑な放映条件の設定も可能となる。
【００６７】
またさらに、本実施形態における広告情報管理サーバ１０は、放映パターン設定画面に、放映日の分割の設定を行う放映日分割設定領域（例えば放映パターン設定領域１３３のチェックボックス１３８）、及び放映時間の分割の設定を行う放映時間分割設定領域（例えば放映パターン設定領域１３３の選択領域１４２、１４３）のうち、少なくとも１つが設けられることにより、ユーザ側における作業効率を向上させると共に、ユーザ側における放映日及び放映時間等の非常に詳細な放映条件の設定までをも可能にすることができる。  
【００６８】
［広告コンテンツ作成支援処理］
次に、本実施形態における広告情報管理サーバ１０の広告コンテンツ作成支援処理動作の一例について、図２２乃至図２４に基づいて説明する。この広告コンテンツ作成支援処理動作は、概略的には、広告情報管理サーバ１０が、ユーザからの要求に応じて広告コンテンツの構成情報を設定するための広告コンテンツ作成画面を通信ネットワーク７０を介してユーザ端末３０に送信して広告コンテンツの作成を支援し、この広告コンテンツ作成画面を用いて設定された広告コンテンツ構成情報を通信ネットワーク７０を介してユーザ端末３０から受信し、この広告コンテンツ構成情報を格納部１７に格納する処理を実行する動作である。以下、本発明に関係しない処理については、その内容を省略している場合がある。
【００６９】
まず、図２２に示すように、ユーザ端末３０が広告枠管理サーバ２０にアクセスすることにより、広告情報管理サーバ１０の広告コンテンツ作成支援処理動作が開始される（ステップＳ１０１）。広告枠管理サーバ２０は、ユーザ端末３０からのアクセスを受け付け、周知の方法によりユーザ端末３０のログイン処理を実行した後、ログインしたユーザに関する申込状況の一覧が掲載された申込一覧画面情報をユーザ端末３０に送信する（ステップＳ１０２）。ユーザ端末３０は、広告枠管理サーバ２０から送信された申込一覧画面情報を受け付け、この申込一覧画面情報が示す申込一覧画面（図１１参照）を表示部に表示する（ステップＳ１０３）。そして、申込一覧画面におけるコンテンツ作成ボタン１０２がユーザによって選択されると、ユーザ端末３０が、入力部を介してユーザからのコンテンツ作成ボタン１０２の選択（コンテンツ作成要求）を受け付け（ステップＳ１０４）、このコンテンツ作成要求を広告情報管理サーバ１０に対して送信し（ステップＳ１０５）、広告情報管理サーバ１０が、ユーザ端末３０からのコンテンツ作成要求をコンテンツ管理部１２によって受け付ける（ステップＳ１０６）。
【００７０】
次に、広告情報管理サーバ１０は、ユーザ端末３０からのコンテンツ作成要求に基づいて、広告コンテンツの作成を行うための広告コンテンツ作成画面情報をユーザ端末３０に対して送信する（ステップＳ１０７）。ユーザ端末３０は、広告情報管理サーバ１０から送信された広告コンテンツ作成画面情報を受け付け、この広告コンテンツ作成画面情報が示す広告コンテンツ作成画面を表示部に表示する（ステップＳ１０８）。この広告コンテンツ作成画面には、図２３に示すように、これから作成される広告コンテンツに割り当てられたコンテンツＩＤを表示するコンテンツＩＤ表示領域２００と、コンテンツタイトルの入力を受け付けるコンテンツタイトル入力領域２０１と、広告コンテンツを構成するコンテンツ素材の詳細情報を表示するコンテンツ素材情報表示領域２０２と、広告コンテンツを構成するコンテンツ素材を新たに入稿するための「新規素材入稿」ボタン２０３と、広告情報管理サーバ１０の格納部１７に格納された既存コンテンツ素材を利用するための「既存素材利用」ボタン２０４と、広告情報管理サーバ１０の格納部１７に格納された既存広告コンテンツを利用（流用）するための「既存コンテンツ利用」ボタン２０５と、作成中の広告コンテンツのプレビューを表示するための「プレビュー」ボタン２０６と、作成された広告コンテンツを構成する広告コンテンツ構成情報を広告情報管理サーバ１０に送信するための「保存登録」ボタン２０７とが設けられている。
【００７１】
コンテンツ素材情報表示領域２０２は、広告コンテンツを構成するコンテンツ素材の放映順序を表す「放映順序」欄と、コンテンツ素材のＩＤを表示する「素材ＩＤ」欄と、コンテンツ素材のタイトルを表示する「素材タイトル」欄と、コンテンツ素材のファイル名を表示する「ファイル名」欄と、コンテンツ素材単体の放映秒数を表示する「放映秒数」欄と、コンテンツ素材に付与されたエフェクトの種類を表示する「エフェクト」欄と、エフェクトが付与される秒数を表示する「エフェクト秒数」欄と、コンテンツ素材の放映順序を変更するための後述するアップボタン２１２及びダウンボタン２１３を表示する「順位」欄と、後述する削除ボタン２１４を表示する「削除」欄とが設けられている。
【００７２】
このコンテンツ素材情報表示領域２０２は、後述する新規コンテンツ素材の入稿、既存コンテンツ素材の利用及び既存広告コンテンツの利用のいずれか１つ以上の手段によってコンテンツ素材が選択された場合に、図２４に示すように、選択された順番並びに選択されたコンテンツ素材に応じたコンテンツ素材ＩＤ及びコンテンツ素材のファイル名が、選択されたコンテンツ素材の「放映順序」欄、「素材ＩＤ」欄及び「ファイル名」欄に反映して表示されるようにプログラムされている。また、コンテンツ素材情報表示領域２０２は、コンテンツ素材が選択された場合に、選択されたコンテンツ素材の「素材タイトル」欄が、文字等の直接入力を受け付ける素材タイトル入力領域２０８を形成し、「放映秒数」欄が、数字の直接入力を受け付ける放映秒数入力領域２０９を形成し、「エフェクト」欄が、例えばプルダウン方式によって、例えばフェードイン、フェードアウト等の複数のエフェクトの中から任意のエフェクトを選択することが可能なエフェクト選択領域２１０を形成し、「エフェクト秒数」欄が、数字の直接入力を受け付ける放映秒数入力領域２１１を形成するようにプログラムされている。さらに、コンテンツ素材情報表示領域２０２は、コンテンツ素材が選択された場合に、選択されたコンテンツ素材の「順位」欄に、各コンテンツ素材の放映順序を繰り上げるためのアップボタン２１２と放映順序を繰り下げるためのダウンボタン２１３とが表示され、「削除」欄に、各コンテンツ素材を削除するための削除ボタン２１４が表示されるようにプログラムされている。
【００７３】
「新規素材入稿」ボタン２０３は、選択されることにより、ユーザ端末３０の格納部に格納されているコンテンツ素材を広告情報管理サーバ１０にアップロードすることが可能な入稿画面をユーザ端末３０の表示部に表示させるようにプログラムされている。この入稿画面は、ユーザ端末３０の格納部に格納されているコンテンツ素材を広告情報管理サーバ１０にアップロードすることが可能なものであれば、いかなるものであっても良い。「既存素材利用」ボタン２０４及び「既存コンテンツ利用」ボタン２０５は、選択されることにより、広告情報管理サーバ１０の格納部１７に保存されている既存コンテンツ素材及び既存広告コンテンツを選択することが可能な画面（以下、これらをまとめて「既存素材等選択画面」という）をユーザ端末３０の表示部に表示させるようにそれぞれプログラムされている。この既存素材等選択画面は、広告情報管理サーバ１０の格納部１７に保存されている既存コンテンツ素材又は既存広告コンテンツを選択可能なものであれば、いかなるものであっても良い。
【００７４】
そして、ユーザは、ユーザ端末３０に表示された広告コンテンツ作成画面を用いてコンテンツ素材の選択や編集等を行い、編集中の広告コンテンツをプレビューにより視覚的に確認しながら広告コンテンツの作成を行う。このコンテンツ素材の選択は、「新規素材入稿」ボタン２０３、「既存素材利用」ボタン２０４及び「既存コンテンツ利用」ボタン２０５のいずれかを入力部を介して選択することにより行うことができる。
【００７５】
ユーザ端末３０は、ユーザからの入力部を介した操作により、「新規素材入稿」ボタン２０３が選択されたこと（すなわち、入稿画面表示要求）を受け付けた場合には（ステップＳ１０９）、この入稿画面表示要求に基づいて入稿画面を表示部に表示する（ステップＳ１１０）。そして、ユーザ端末３０は、入稿画面を用いて選択されたコンテンツ素材の入稿要求を受け付け（ステップＳ１１１）、この選択されたコンテンツ素材情報を広告情報管理サーバ１０に送信する。また、広告情報管理サーバ１０は、素材入稿管理部１３によってユーザ端末３０から送信された新規コンテンツ素材情報を受け付け、受け付けた新規コンテンツ素材のファイル形式等がレギュレーションに適合しているか否かをチェックする。そして、広告情報管理サーバ１０は、受け付けた新規コンテンツ素材のファイル形式等がレギュレーションに適合していない場合には、新規コンテンツ素材のアップロードを拒否する旨を表示するエラー表示画面を表示するためのエラー表示画面情報をユーザ端末３０に対して送信し、ユーザ端末３０は、このエラー表示画面情報を受け付けると共に、このエラー表示画面情報が示すエラー表示画面を表示部に表示する。一方、広告情報管理サーバ１０は、受け付けた新規コンテンツ素材のファイル形式等がレギュレーションに適合している場合には、この新規コンテンツ素材情報を格納部１７の素材管理テーブルに保存すると共に、この新規コンテンツ素材情報が示す新規コンテンツ素材を格納部１７に保存する。ユーザ端末３０は、このような処理によりアップロードされた新規素材を、選択されたコンテンツ素材として、広告コンテンツ作成画面のコンテンツ素材情報表示領域２０２に表示する。
【００７６】
また、ユーザ端末３０は、入力部を介して「既存素材利用」ボタン２０４又は「既存コンテンツ利用」ボタン２０５が選択されたこと（すなわち、既存素材等選択画面表示要求）を受け付けた場合には（ステップＳ１１２）、この既存素材等選択画面表示要求に基づいて既存素材等選択画面を表示部に表示する（ステップＳ１１３）。そして、ユーザ端末３０は、既存素材等選択画面を用いた既存コンテンツ素材又は既存広告コンテンツの選択を受け付ける（ステップＳ１１４）。また、ユーザ端末３０は、このような処理により選択された既存コンテンツ素材又は既存広告コンテンツを構成する１以上のコンテンツ素材を、広告コンテンツ作成画面のコンテンツ素材情報表示領域２０２に表示する。本実施例において、この既存素材等選択画面に表示する既存コンテンツ素材の情報及び既存広告コンテンツの情報は、種々のタイミングで広告情報管理サーバ１０からユーザ端末３０に送信することができ、例えば、広告情報管理サーバ１０からのユーザ端末３０に対する広告コンテンツ作成画面情報の送信（ステップＳ１０７）の際に、広告情報管理サーバ１０からユーザ端末３０に送信するとしても良いし、広告情報管理サーバ１０がユーザ端末３０からの格納部参照要求をその都度受け付け、この格納部参照要求に基づいて格納部１７に保存されている既存コンテンツ素材の情報及び既存広告コンテンツの情報をユーザ端末３０に送信するとしても良い。
【００７７】
そして、ユーザ端末３０は、このようにしてコンテンツ素材情報表示領域２０２に表示された各コンテンツ素材に対する編集、すなわち「素材タイトル」の入力、「放映秒数」の入力、「エフェクト」の選択、「エフェクト秒数」の入力、「順位」の変更及び「削除」の選択を入力部を介して受け付ける（ステップＳ１１５）。また、ユーザ端末３０は、入力部を介して「プレビュー」ボタン２０６が選択されたことを受け付けた場合には、作成中の広告コンテンツのプレビューを表示部に表示する。さらに、ユーザ端末３０は、入力部を介して「保存登録」ボタン２０７が選択されたことを受け付けた場合には、作成された広告コンテンツを構成する広告コンテンツ構成情報を広告情報管理サーバ１０に送信する（ステップＳ１１６）。
【００７８】
広告情報管理サーバ１０は、コンテンツ管理部１２によってユーザ端末３０から送信された広告コンテンツ構成情報を受け付け（ステップＳ１１７）、この広告コンテンツ構成情報を格納部１７のコンテンツ管理テーブルに保存すると共に、この広告コンテンツ構成情報が示す広告コンテンツを格納部１７に保存する（ステップＳ１１８）。これにより、広告情報管理サーバ１０の広告コンテンツ作成支援処理動作が終了する。
【００７９】
以上に説明したように、本実施形態における広告情報管理サーバ１０は、ユーザが管理するユーザ端末３０からの要求に基づいて、コンテンツ素材格納手段（例えば格納部１７）に格納されたコンテンツ素材（すなわち、既存コンテンツ素材）の選択を行うコンテンツ素材選択領域（例えば「既存素材利用」ボタン２０４）及び選択された１以上のコンテンツ素材から広告コンテンツを作成する広告コンテンツ作成領域（例えばコンテンツ素材情報表示領域２０２）が設けられた広告コンテンツ作成画面を示す広告コンテンツ作成画面情報を、ユーザ端末３０に対して送信するように構成されているため、広告配信業務の効率を向上させ、広告メディアの規模拡大への対応を容易にすることが可能となる。すなわち、本実施形態における広告情報管理サーバ１０によれば、ユーザ側において広告コンテンツの作成を自由に行うことが可能となるので、管理業者における編成作業のうち広告コンテンツの作成等の作業が不要となり、管理業者における編成作業に要する負担を飛躍的に軽減させることができる。また、本実施形態における広告情報管理サーバ１０は、格納部１７に格納されたコンテンツ素材（例えば過去に用いられた既存コンテンツ素材）の利用を行うことが可能な広告コンテンツ作成画面によってユーザ側における広告コンテンツの作成を支援する処理を実行するものであるため、ユーザ側における広告コンテンツの作成の作業効率を飛躍的に向上させることができる。
【００８０】
また、本実施形態における広告情報管理サーバ１０は、広告コンテンツ作成画面に、コンテンツ素材格納手段（例えば格納部１７）に格納された広告コンテンツ（すなわち、既存広告コンテンツ）を選択することにより、該広告コンテンツを構成する１以上のコンテンツ素材の選択を行う広告コンテンツ選択領域（例えば「既存コンテンツ利用」ボタン２０５）が更に設けられているため、過去に用いられた既存広告コンテンツの流用を行うことができ、ユーザ側における広告コンテンツの作成の作業効率をより一層向上させることができる。
【００８１】
さらに、本実施形態における広告情報管理サーバ１０は、広告コンテンツ作成画面に、ユーザ端末３０に格納された新規コンテンツ素材の選択を行う新規コンテンツ素材選択領域（例えば「新規素材入稿」ボタン２０３）が設けられており、新規コンテンツ素材選択領域にて選択された新規コンテンツ素材をコンテンツ素材格納手段（例えば格納部１７）に保存する新規コンテンツ素材保存手段（例えば素材入稿管理部１３）を備えているため、新規コンテンツ素材を用いて広告コンテンツを作成することが可能となり、ユーザ側における広告コンテンツの作成の作業効率をより一層向上させることができる。
【００８２】
またさらに、本実施形態における広告情報管理サーバ１０は、広告コンテンツ作成画面に、コンテンツ素材毎に、コンテンツ素材の放映秒数の設定を行う放映秒数設定領域（例えば放映秒数入力領域２０９）、コンテンツ素材に対するエフェクトの設定を行うエフェクト設定領域（例えばエフェクト選択領域２１０）、及びコンテンツ素材の放映順序の設定を行う放映順序設定領域（例えばアップボタン２１２及びダウンボタン２１３）が設けられているため、ユーザに対する広告コンテンツの作成の支援をより一層充実したものとすることができ、ユーザ側における広告コンテンツの作成の作業効率をより一層向上させることができる。
【００８３】
［編成支援処理］
次に、本実施形態における広告情報管理サーバ１０の編成支援処理動作の一例について、図２５乃至図２７に基づいて説明する。この編成支援処理動作は、概略的には、広告情報管理サーバ１０が、管理業者からの要求に応じて編成の対象となる編成範囲を指定するための編成範囲指定画面情報を通信ネットワーク７０を介して管理者端末４０に送信し、この編成範囲指定画面を用いて行われた編成範囲指定を通信ネットワーク７０を介して管理者端末４０から受信し、この管理業者からの編成範囲指定に応じて編成処理を行うための編成画面情報を通信ネットワーク７０を介して管理者端末４０に送信し、この編成範囲指定画面を用いて行われた編成処理の情報を通信ネットワーク７０を介して管理者端末４０から受信し、この編成情報を格納部１７の編成管理テーブルに格納する処理を実行する動作である。以下、本発明に関係しない処理については、その内容を省略している場合がある。
【００８４】
まず、図２５に示すように、管理者端末４０が広告情報管理サーバ１０にアクセスすることにより、広告情報管理サーバ１０の編成支援処理動作が開始される（ステップＳ２０１）。広告情報管理サーバ１０は、管理者端末４０からのアクセス（編成要求）を受け付け（ステップＳ２０２）、周知の方法により管理者端末４０のログイン処理を実行した後、編成範囲指定画面情報を管理者端末４０に送信する（ステップＳ２０３）。管理者端末４０は、広告情報管理サーバ１０から送信された編成範囲指定画面情報を受け付け、この編成範囲指定画面情報が示す編成範囲指定画面を表示部に表示する（ステップＳ２０４）。この編成範囲指定画面には、図２６に示すように、例えばログインがなされた日の属する月に関する編成確定状況が表示された編成確定状況表示領域２２０と、編成単位毎に設けられ、編成処理の要求（編成範囲の指定）を行うための「編成」ボタン２２１と、前月の編成確定状況を編成確定状況表示領域２２０に表示させるための「前月」ボタン２２２と、次月の編成確定状況を編成確定状況表示領域２２０に表示させるための「次月」ボタン２２３とが設けられている。ここで、編成単位とは、一度の編成作業により確定される編成対象の単位であり、例えば、放映場所単位、放映月単位、放映週単位、放映日単位又は放映時間単位等に設定することができるが、本実施例においては、各放映時間（１時間）における各放映場所を編成単位として説明する。
【００８５】
編成確定状況表示領域２２０は、放映日及び放映時間を表示する「放映時間」欄と、放映時間毎に設けられ、放映を予定している全ての放映場所を表示する「放映場所」欄と、放映場所毎（編成単位毎）の編成状態を表示する「状態」欄とが設けられている。この編成確定状況表示領域２２０は、後述する編成処理が確定される前においては、「状態」欄に編成未確定が表示され、後述する編成処理が確定された後は、「状態」欄に編成確定済みが表示されるようにプログラムされている。
【００８６】
そして、管理業者は、編成処理を実行するために、管理者端末４０に表示された編成範囲指定画面の中から編成を行う編成対象を選択し、この編成対象に応じた「編成」ボタン２２１を入力部を介して押下する。管理者端末４０は、管理業者からの入力部を介した「編成」ボタン２２１の押下による編成範囲指定を受け付け（ステップＳ２０５）、この編成範囲指定を広告情報管理サーバ１０に送信する（ステップＳ２０６）。以下、本実施例においては、編成範囲として、「２０ＸＸ／６／２０」の「５：００〜６：００」における「渋谷駅北口」が指定された例について説明する。
【００８７】
広告情報管理サーバ１０は、編成管理部１４によって管理者端末４０から送信された編成範囲指定を受け付け（ステップＳ２０７）、この編成範囲の指定に基づいて、指定された編成範囲の編成画面情報を管理者端末４０に送信する（ステップＳ２０８）。管理者端末４０は、広告情報管理サーバ１０から送信された編成画面情報を受け付け、この編成画面情報が示す編成画面を表示部に表示する（ステップＳ２０９）。この編成画面には、図２７に示すように、編成中の編成範囲の情報を表示する編成範囲情報表示領域２２４と、所定の放映枠に割り当てられているコンテンツの情報を表示する割当コンテンツ情報表示領域２２５と、放映枠内に割り当てる業務用コンテンツを選択するための「業務枠」ボタン２２６と、放映枠内に割り当てる行政用コンテンツを選択するための「行政枠」ボタン２２７と、編成を確定して編成情報を広告情報管理サーバ１０に送信するための「確定」ボタン２２８と、編成処理を一時的に中断して編成中の情報を広告情報管理サーバ１０に送信するための「一時保存」ボタン２２９とが設けられている。
【００８８】
割当コンテンツ情報表示領域２２５には、各コンテンツの放映順序を表示する「順番」欄と、コンテンツのＩＤを表示する「コンテンツＩＤ」欄と、コンテンツのタイトルを表示する「コンテンツタイトル」欄と、コンテンツを申し込んだ代理店の名称を表示する「代理店」欄と、コンテンツを申し込んだ広告主の名称を表示する「広告主」欄とが設けられている。本実施例において、割当コンテンツ情報表示領域２２５は、ユーザから申し込まれた順に、放映枠が埋まっていくようにプログラムされており、この放映枠は、１枠を１５秒として、２４枠（すなわち、６分で１サイクル）となるように設定されている。また、割当コンテンツ情報表示領域２２５は、割当コンテンツ情報表示領域２２５に列挙された各コンテンツを、例えばドラッグアンドドロップ等の操作により放映順序を変更できるようにプログラムされている。
【００８９】
「業務枠」ボタン２２６及び「行政枠」ボタン２２７は、選択されることにより、広告情報管理サーバ１０の格納部１７に保存されている業務用コンテンツ及び行政用コンテンツを選択することが可能な画面を管理者端末４０の表示部に表示させるようにプログラムされている。このコンテンツ選択画面は、広告情報管理サーバ１０の格納部１７に保存されているコンテンツを選択可能なものであれば、いかなるものであっても良い。
【００９０】
そして、管理業者は、管理者端末４０に表示された編成画面を用いて、必要に応じて各コンテンツの放映順序の変更を行うと共に、放映枠に空き枠が生じている場合には、この空き枠に対する業務用コンテンツや行政用コンテンツの割り当て等を行い、編成が完了した場合又は一時中断したい場合に、「確定」ボタン２２８又は「一時保存」ボタン２２９を選択する。管理者端末４０は、管理業者からの入力部を介した各コンテンツの放映順序の変更やコンテンツの割り当て等の編成処理を受け付け（ステップＳ２１０）、管理業者による入力部を介した「確定」ボタン２２８又は「一時保存」ボタン２２９の選択に基づいて、編成処理の情報を広告情報管理サーバ１０に送信する（ステップＳ２１１）。
【００９１】
広告情報管理サーバ１０は、編成管理部１４によって管理者端末４０から送信された編成処理の情報を受け付け（ステップＳ２１２）、この編成処理の情報を格納部１７の編成管理テーブルに保存する（ステップＳ２１３）。これにより、広告情報管理サーバ１０の編成支援処理の一連の動作が終了する。
【００９２】
また、広告情報管理サーバ１０は、上述した編成支援処理の一連の動作の他に、例えばユーザからの放映条件設定の締め切り日等の予め定められたタイミングにおいて放映枠に空き枠が生じている場合には、編成管理部１４により、フィラー用のコンテンツを空き枠に割り当てる処理を実行する編成支援処理動作も行う。
【００９３】
本実施形態における広告情報管理サーバ１０の編成支援処理動作において、編成範囲指定画面及び編成画面は、図２６及び図２７に示すような、各放映時間（１時間）における各放映場所を編成単位とする態様に限定されず、例えば図２８及び図２９に示すような、放映週単位における各放映場所を編成単位とする態様等、種々の態様を採用することができる。以下、編成範囲指定画面及び編成画面の他の例について、図２８及び図２９を用いて説明する。なお、広告情報管理サーバ１０の編成支援処理動作の流れ（図２５におけるステップＳ２０１乃至Ｓ２１３の流れ）は、上述した編成支援処理動作の一例と同様であるため、その説明を省略する。
【００９４】
他の例に係る編成範囲指定画面には、図２８に示すように、表示する月を選択するための表示月選択領域２３１と、放映場所を表示する放映場所表示領域２３２と、放映週及びこの放映週に含まれる放映日を表示する放映週表示領域２３３と、各放映週に対する放映場所毎（すなわち、編成単位毎）に設けられ、各編成単位の編成確定状況を表示し、かつ、編成処理の要求（編成範囲の指定）を行うための編成範囲指定領域２３４とが設けられている。
【００９５】
表示月選択領域２３１は、例えばプルダウン方式によって放映月のうち任意の月を選択可能で、かつ、選択された月を編成範囲指定画面に表示するようにプログラムされている。
【００９６】
編成範囲指定領域２３４は、編成確定状況に応じて、例えば「確定」、「一部確定」、「変更有り」、「作業中」及び「未確認」等の情報やリビジョン数（修正数）等の情報が表示されるようにプログラムされている。また、編成範囲指定領域２３４は、管理者端末４０の入力部を介して選択（押下）された際に、管理者端末４０が広告情報管理サーバ１０に対して編成範囲指定を送信するようにプログラムされている。
【００９７】
そして、管理業者は、編成処理を実行するために、管理者端末４０に表示された編成範囲指定画面の中から編成を行う編成対象を選択し、この編成対象に応じた編成範囲指定領域２３４を入力部を介して押下する。管理者端末４０は、管理業者からの入力部を介した編成範囲指定領域２３４の押下による編成範囲指定を受け付け、この編成範囲指定を広告情報管理サーバ１０に送信する。以下、本実施例においては、編成範囲として、「２０ＸＸ／６／２７」〜「２０ＸＸ／７／３」における「渋谷駅北口」が指定された例について説明する。
【００９８】
広告情報管理サーバ１０は、編成管理部１４によって管理者端末４０から送信された編成範囲指定を受け付け、この編成範囲の指定に基づいて、指定された編成範囲の編成画面情報を管理者端末４０に送信する。管理者端末４０は、広告情報管理サーバ１０から送信された編成画面情報を受け付け、この編成画面情報が示す編成画面を表示部に表示する。この編成画面には、図２９に示すように、編成範囲となる期間を表示する編成対象期間表示領域２４１ａ、２４１ｂと、編成中の編成範囲の情報を表示する編成範囲情報表示領域２４２と、所定の放映枠（本実施形態においては、２４枠）における各申込枠の作業進捗状況を表示する作業進捗状況表示領域２４３と、申込枠毎に設けられ、放映条件設定の詳細情報を確認可能な放映条件設定詳細情報確認画面（図示せず）を表示するための放映条件設定詳細情報確認ボタン２４４と、編成処理をキャンセルして前確定状態に戻すための「前確定状態に戻す」ボタン２４５と、編成処理を一時的に中断して編成中の情報を広告情報管理サーバ１０に送信するための「保存」ボタン２４６と、編成を確定して編成情報を広告情報管理サーバ１０に送信するための「確定」ボタン２４７と、編成中の編成範囲における各申込枠の作業進捗状況の詳細を確認可能な進捗状況確認画面（図示せず）を表示するための「進捗状況確認」ボタン２４８と、編成中の編成範囲における表示装置毎の放映パターン設定状況を確認可能なロール編成画面（図示せず）を表示するための「ロール生成」ボタン２４９と、放映枠内に割り当てる業務用コンテンツを選択するための「業務枠」ボタン２５０と、放映枠内に割り当てる行政用コンテンツを選択するための「行政枠」ボタン２５１とが設けられている。なお、「保存」ボタン２４６、「確定」ボタン２４７、「業務枠」ボタン２５０及び「行政枠」ボタン２５１は、ぞれぞれ、図２７に示す上述した「一時保存」ボタン２２９、「確定」ボタン２２８、「業務枠」ボタン２２６及び「行政枠」ボタン２２７と同様の機能を有するものであるため、説明を省略する。
【００９９】
編成対象期間表示領域２４１ａは、選択されることにより、「２０ＸＸ／６／２７〜２０ＸＸ／６／３０」の期間についての編成範囲の情報を編成範囲情報表示領域２４２や作業進捗状況表示領域２４３に表示するようにプログラムされており、編成対象期間表示領域２４１ｂ、選択されることにより、「２０ＸＸ／７／１〜２０ＸＸ／７／３」の期間についての編成範囲の情報を編成範囲情報表示領域２４２や作業進捗状況表示領域２４３に表示するようにプログラムされている。本実施例においては、編成範囲の期間が「２０ＸＸ／６／２７」〜「２０ＸＸ／７／３」であり、月をまたぐため、編成対象期間表示領域には、「２０ＸＸ／６／２７〜２０ＸＸ／６／３０」の期間を表示する編成対象期間表示領域２４１ａと、「２０ＸＸ／７／１〜２０ＸＸ／７／３」の期間を表示する編成対象期間表示領域２４１ｂとの２つのタブが表示されるが、編成範囲の期間が月をまたがない場合には、編成対象期間表示領域には１つのタブのみが表示される。すなわち、本実施例に係る編成画面は、編成範囲の期間が月をまたぐ場合には、月末及び月初めを境にして、２つに分割して編成を行うようにプログラムされている。これにより、広告枠を週売りや月売り等の様々な態様で販売することが可能になる。
【０１００】
作業進捗状況表示領域２４３には、各申込枠の放映順序を表示する「順番」欄と、放映条件の設定が完了しているか否かを表示する「放」欄と、コンテンツの適用が完了しているか否かを表示する「コ」欄と、コンテンツの審査が完了しているか否かを表示する「審」欄と、申込枠の受付番号を表示すると共に放映条件設定詳細情報確認ボタン２４４が設けられる受付番号表示欄と、コンテンツを申し込んだ広告主の名称を表示する「広告主」欄と、申込枠の秒数を表示する秒数欄とが、申込枠毎に設けられている。これら「放」欄、「コ」欄及び「審」欄は、例えば○×の表示や、色の反転等により完了の有無を表示するとしても良い。放映条件設定詳細情報確認ボタン２４４は、申込枠の受付番号が表示されると共に、管理者端末４０の入力部を介して選択（押下）された際に、放映条件設定詳細情報確認画面を表示するようにプログラムされている。管理者端末４０は、この放映条件設定詳細情報確認画面として、例えば図２０に示すような放映パターン一覧画面等を表示部に表示するとしても良い。本実施例において、作業進捗状況表示領域２４３は、ユーザから申し込まれた順に、放映枠が埋まっていくようにプログラムされており、この放映枠は、１枠を１５秒として、２４枠（すなわち、６分で１サイクル）となるように設定されている。また、作業進捗状況表示領域２４３は、作業進捗状況表示領域２４３に列挙された各申込枠を、例えばドラッグアンドドロップ等の操作により放映順序を変更できるようにプログラムされている。
【０１０１】
「ロール生成」ボタン２４９は、管理者端末４０の入力部を介して選択（押下）された際に、例えば図３０に示すようなロール編成画面を表示するようにプログラムされている。このロール編成画面には、図３０に示すように、例えば、編成範囲である放映場所（図３０に示す例においては、渋谷駅北口）に設置された２以上の表示装置（図３０に示す例においては、０８−Ｖ０１乃至０８Ｖ−０８）から１つの表示装置を選択するための表示装置選択タブ２５２ａ乃至２５２ｈと、選択された表示装置選択タブ（図３０に示す例においては、表示装置選択タブ２５２ａ）に対応する表示装置（図３０に示す例においては、０８−Ｖ０１）の放映パターンの詳細が図によって表示される放映パターン内容図示領域２５３が設けられている。この放映パターン内容図示領域２５３は、横軸を各曜日（月曜日〜日曜日）に、縦軸を各時間（５：００〜２４：００）にとった表示領域に、その表示装置の放映パターンを図３０に示すような図及び図に付されたロール番号（図３０中の♯１乃至♯６）によって表示するようにプログラムされている。これにより、管理業者は、編成中の編成範囲における表示装置毎の放映パターン設定状況を確認することができる。
【０１０２】
「進捗状況確認」ボタン２４８は、管理者端末４０の入力部を介して選択（押下）された際に、例えば図３１に示すような進捗状況確認画面を表示するようにプログラムされている。この進捗状況確認画面には、図３１に示すように、例えば、編成範囲における各申込枠が放映順に列挙されており、この放映順に列挙された申込枠毎に、受付番号欄、コンテンツを申し込んだ代理店の名称欄、コンテンツを申し込んだ広告主の名称欄、広告内容欄、申込枠の秒数欄及び詳細なステータス欄が設けられている。この詳細なステータス欄には、例えば、放映される表示装置のロール番号と、放映条件設定の完了の有無と、素材入稿の完了の有無と、コンテンツ適用の完了の有無と、コンテンツ審査の承認完了の有無とを含む種々の情報が表示されている。これら設定等の完了の有無は、例えば○×の表示や、色の反転等により表示することができる。また、受付番号欄には、管理者端末４０の入力部を介して選択（押下）された際に、放映条件設定詳細情報確認画面（図示せず）を表示するようにプログラムされた放映条件設定詳細情報確認ボタン２５５がそれぞれ設けられている。この進捗状況確認画面により、管理業者は、選択された申込枠に対応する放映条件設定状況及びコンテンツの割当状況等を含む作業進捗状況の詳細の確認や修正を行うことができる。
【０１０３】
本実施例において、放映条件設定詳細情報確認画面、進捗状況確認画面及びロール編成画面を表示するための各種情報は、種々のタイミングで広告情報管理サーバ１０から管理者端末４０に送信することができ、例えば、広告情報管理サーバ１０からの管理者端末４０に対する編成画面情報の送信（ステップＳ２０８）の際に、広告情報管理サーバ１０から管理者端末４０に送信するとしても良いし、広告情報管理サーバ１０が管理者端末４０からの格納部参照要求をその都度受け付け、この格納部参照要求に基づいて格納部１７に保存されている各種情報を管理者端末４０に送信するとしても良い。
【０１０４】
以上に説明したように、本実施形態における広告情報管理サーバ１０は、管理業者が管理する管理者端末４０からの編成要求に基づいて、編成の対象となる編成範囲を指定するための編成範囲指定画面を示す編成範囲指定画面情報を管理者端末４０に対して送信すると共に、管理者端末４０からの編成範囲指定に基づいて、指定された編成範囲における広告コンテンツの放映順序の変更処理を含む編成処理を行うための編成画面を示す編成画面情報を、管理者端末４０に対して送信するように構成されているため、広告配信業務の効率を向上させ、広告メディアの規模拡大への対応を容易にすることが可能となる。すなわち、本実施形態における広告情報管理サーバ１０によれば、管理業者の編成作業を例えば各コンテンツの放映順序の変更や空き枠に対するコンテンツの割り当てという非常に簡単な作業とすることができ、管理業者における編成作業に要する負担を飛躍的に軽減させることができる。
【０１０５】
また、本実施形態における広告情報管理サーバ１０は、フィラー用コンテンツを格納するコンテンツ格納手段（例えば格納部１７）と、予め定められたタイミングにおいて放映枠に空き枠が生じている際に、コンテンツ格納手段に格納されたフィラー用コンテンツを空き枠に割り当てるフィラー用コンテンツ割当手段（例えば編成管理部１４）とを備えるため、例えばユーザからの放映条件設定の締め切り日等の予め定められたタイミングにおいて放映枠に空き枠が生じている場合であっても、自動でフィラー用コンテンツが割り当てられるので、管理業者の編成作業を、必要に応じて各コンテンツの放映順序の変更を行うという非常に簡単なものとすることができる。
【０１０６】
さらに、本実施形態における広告情報管理サーバ１０は、申込枠の申込確定、放映条件設定の完了及びコンテンツの適用の完了の有無に拘わらず、これらの確定及び設定の前から編成処理を実行できるように支援するものであるため、管理業者における編成作業の着手時期を飛躍的に早めることができると共に、編成作業の作業効率を飛躍的に向上させることができる。
【０１０７】
本実施形態における広告情報管理システム１において、広告情報管理サーバ１０と、広告枠管理サーバ２０と、管理者端末４０とは、それぞれ別々の装置であるとしたが、これに限定されず、広告情報管理サーバ１０と、広告枠管理サーバ２０と、管理者端末４０とは、一の情報処理装置であるとしても良い。この場合、本実施形態の広告情報管理サーバ１０の編成支援処理動作は、広告情報管理サーバ１０が、管理業者からの編成要求を入力部を介して受け付け、この編成要求に基づいて、編成の対象となる編成範囲を指定するための編成範囲指定画面を表示部に表示し、この編成範囲指定画面を用いて行われた編成範囲指定を入力部を介して受け付け、この受け付けた編成範囲指定に基づいて、指定された編成範囲における広告コンテンツの放映順序の変更を行うための編成画面を表示部に表示し、この編成画面を用いて行われた編成処理の処理結果を示す編成結果情報を受け付け、この受け付けた編成結果情報を格納部１７に格納することにより実行される。
【０１０８】
なお、上述した実施の形態では特に言及していないが、広告情報管理サーバ１０は、例えば自己が備える記憶媒体に記憶された処理プログラムに従って、上述した各種の処理を実行している。
【産業上の利用可能性】
【０１０９】
本発明によれば、ユーザによる放映条件の設定、ユーザによる広告コンテンツの作成及び管理業者による編成処理を適切に支援するのに有用である。
【符号の説明】
【０１１０】
１  広告情報管理システム、１０  広告情報管理サーバ、２０  広告枠管理サーバ、３０ユーザ端末、４０  管理者端末、５０  配信装置、６０  表示装置、７０  通信ネットワーク
【図１】
0005824336.tif 000002
【図２】
0005824336.tif 000003
【図３】
0005824336.tif 000004
【図４】
0005824336.tif 000005
【図５】
0005824336.tif 000006
【図６】
0005824336.tif 000007
【図７】
0005824336.tif 000008
【図８】
0005824336.tif 000009
【図９】
0005824336.tif 000010
【図１０】
0005824336.tif 000011
【図１１】
0005824336.tif 000012
【図１２】
0005824336.tif 000013
【図１３】
0005824336.tif 000014
【図１４】
0005824336.tif 000015
【図１５】
0005824336.tif 000016
【図１６】
0005824336.tif 000017
【図１７】
0005824336.tif 000018
【図１８】
0005824336.tif 000019
【図１９】
0005824336.tif 000020
【図２０】
0005824336.tif 000021
【図２１】
0005824336.tif 000022
【図２２】
0005824336.tif 000023
【図２３】
0005824336.tif 000024
【図２４】
0005824336.tif 000025
【図２５】
0005824336.tif 000026
【図２６】
0005824336.tif 000027
【図２７】
0005824336.tif 000028
【図２８】
0005824336.tif 000029
【図２９】
0005824336.tif 000030
【図３０】
0005824336.tif 000031
【図３１】
0005824336.tif 000032